(57)【特許請求の範囲】
【請求項１】
無線通信システムにおける中継動作のための方法であって、
ｅノードＢ（ｅＮＢ）から中継ノードへのダウンリンク通信のための第１のサブフレームのセットを決定することと、
前記中継ノードから前記ｅＮＢへのアップリンク通信のための第２のサブフレームのセットを決定することと、
第１の遅延と前記第１のサブフレームのセットと前記第２のサブフレームのセットとに基づいて、第１の制御送信とハイブリッド自動反復要求（ＨＡＲＱ）アクノレッジ（ＡＣＫ）メッセージとの間のダウンリンク（ＤＬ）ＨＡＲＱタイミングを決定することと、
第２の遅延と前記第１のサブフレームのセットと前記第２のサブフレームのセットとに基づいて、第２の制御送信とアップリンク送信との間のアップリンク（ＵＬ）ＨＡＲＱタイミングを決定することと、
前記第２のサブフレームのセットにおけるアップリンク・データ送信に応答して、前記第１のサブフレームのセットにおけるＨ−ＡＲＱチャネル送信を禁止することと、
を備える方法。
【請求項２】
前記第１の遅延は４ミリ秒である、請求項１に記載の方法。
【請求項３】
前記第２の遅延は４ミリ秒である、請求項１に記載の方法。
【請求項４】
前記第２のサブフレームのセットは、前記第１のサブフレームのセットと、前記第１の遅延または前記第２の遅延のうちの少なくとも１つとに基づく、請求項１に記載の方法。
【請求項５】
前記第１のサブフレームのセットと、前記第２のサブフレームのセットとは、異なる量のサブフレームを含む、請求項１に記載の方法。
【請求項６】
前記ＤＬ  ＨＡＲＱタイミングに基づいて、前記第１のサブフレームのセットからの少なくとも２つのサブフレームを、前記第２のサブフレームのセットからのサブフレームへマップすること、をさらに備える請求項５に記載の方法。
【請求項７】
ＡＣＫ／ＮＡＫバンドリング・モードと、ＡＣＫ／ＮＡＫ多重化モードとのうちの少なくとも１つにおいて動作するように前記中継ノードを設定すること、をさらに備える請求項６に記載の方法。
【請求項８】
前記ＵＬ  ＨＡＲＱタイミングに基づいて、前記第２のサブフレームのセットからの少なくとも２つのサブフレームを、前記第１のサブフレームのセットからのサブフレームへマップすること、をさらに備える請求項５に記載の方法。
【請求項９】
前記第１のサブフレームのセットからのサブフレームにおいて前記第２の制御送信を使用し、前記第２のサブフレームのセットからの少なくとも２つのサブフレームのために、前記アップリンク送信をスケジュールすること、をさらに備える請求項８に記載の方法。
【請求項１０】
前記ＵＬ  ＨＡＲＱタイミングは、非同期的である、請求項５に記載の方法。
【請求項１１】
前記ＵＬ  ＨＡＲＱタイミングは、周波数分割デュプレクス（ＦＤＤ）について、８ミリ秒の設定周期を有しているか、または、時分割デュプレクス（ＴＤＤ）について、１０ミリ秒の設定周期を有している、請求項１に記載の方法。
【請求項１２】
前記ＤＬ  ＨＡＲＱタイミングは、周波数分割デュプレクス（ＦＤＤ）について、４０ミリ秒の設定周期を有しているか、または、時分割デュプレクス（ＴＤＤ）について、１０ミリ秒の設定周期を有している、請求項１に記載の方法。
【請求項１３】
前記ＵＬ  ＨＡＲＱタイミングまたは前記ＤＬ  ＨＡＲＱタイミングのうちの少なくとも１つは、イボルブド・ユニバーサル地上ラジオ・アクセス（Ｅ−ＵＴＲＡ）リリース８規格におけるＨＡＲＱタイミングと同じである、請求項１に記載の方法。
【請求項１４】
前記第２のサブフレームのセットに含まれない周期的なチャネル状態情報（ＣＳＩ）メッセージのためのアップリンク送信を禁止すること、をさらに備える請求項１に記載の方法。
【請求項１５】
前記第２のサブフレームのセットに含まれないスケジューリング要求（ＳＲ）メッセージのためのアップリンク送信を禁止すること、をさらに備える請求項１に記載の方法。
【請求項１６】
前記第２のサブフレームのセットに含まれないサウンディング基準信号（ＳＲＳ）のためのアップリンク送信を禁止すること、をさらに備える請求項１に記載の方法。
【請求項１７】
前記アップリンクＨ−ＡＲＱタイミングが同期的であり、アップリンク（ＵＬ）許可が予め定義された期間内に受信されない場合、アップリンク・パケットの再送信を見合わせること、をさらに備える請求項１に記載の方法。
【請求項１８】
無線通信システムにおける中継動作のための装置であって、
ｅノードＢ（ｅＮＢ）から中継ノードへのダウンリンク通信のための第１のサブフレームのセットを決定する手段と、
前記中継ノードから前記ｅＮＢへのアップリンク通信のための第２のサブフレームのセットを決定する手段と、
第１の遅延と前記第１のサブフレームのセットと前記第２のサブフレームのセットとに基づいて、第１の制御送信とハイブリッド自動反復要求（ＨＡＲＱ）アクノレッジ（ＡＣＫ）メッセージとの間のダウンリンク（ＤＬ）ＨＡＲＱタイミングを決定する手段と、
第２の遅延と前記第１のサブフレームのセットと前記第２のサブフレームのセットとに基づいて、第２の制御送信とアップリンク送信との間のアップリンク（ＵＬ）ＨＡＲＱタイミングを決定する手段と、
前記第２のサブフレームのセットにおけるアップリンク・データ送信に応答して、前記第１のサブフレームのセットにおけるＨ−ＡＲＱチャネル送信を禁止する手段と、
を備える装置。
【請求項１９】
前記第１の遅延は４ミリ秒である、請求項１８に記載の装置。
【請求項２０】
前記第２の遅延は４ミリ秒である、請求項１８に記載の装置。
【請求項２１】
前記第２のサブフレームのセットは、前記第１のサブフレームのセットと、前記第１の遅延または前記第２の遅延のうちの少なくとも１つとに基づく、請求項１８に記載の装置。
【請求項２２】
前記第１のサブフレームのセットと、前記第２のサブフレームのセットとは、異なる量のサブフレームを含む、請求項１８に記載の装置。
【請求項２３】
前記ＤＬ  ＨＡＲＱタイミングに基づいて、前記第１のサブフレームのセットからの少なくとも２つのサブフレームを、前記第２のサブフレームのセットからのサブフレームへマップする手段、をさらに備える請求項２２に記載の装置。
【請求項２４】
ＡＣＫ／ＮＡＫバンドリング・モードと、ＡＣＫ／ＮＡＫ多重化モードとのうちの少なくとも１つにおいて動作するように前記中継ノードを設定する手段、をさらに備える請求項２３に記載の装置。
【請求項２５】
前記ＵＬ  ＨＡＲＱタイミングに基づいて、前記第２のサブフレームのセットからの少なくとも２つのサブフレームを、前記第１のサブフレームのセットからのサブフレームへマップする手段、をさらに備える請求項２２に記載の装置。
【請求項２６】
前記第１のサブフレームのセットからのサブフレームにおいて前記第２の制御送信を使用し、前記第２のサブフレームのセットからの少なくとも２つのサブフレームのために、前記アップリンク送信をスケジュールする手段、をさらに備える請求項２５に記載の装置。
【請求項２７】
前記ＵＬ  ＨＡＲＱタイミングは、非同期的である、請求項２０に記載の装置。
【請求項２８】
前記ＵＬ  ＨＡＲＱタイミングは、周波数分割デュプレクス（ＦＤＤ）について、８ミリ秒の設定周期を有しているか、または、時分割デュプレクス（ＴＤＤ）について、１０ミリ秒の設定周期を有している、請求項１８に記載の装置。
【請求項２９】
前記ＤＬ  ＨＡＲＱタイミングは、周波数分割デュプレクス（ＦＤＤ）について、４０ミリ秒の設定周期を有しているか、または、時分割デュプレクス（ＴＤＤ）について、１０ミリ秒の設定周期を有している、請求項１８に記載の装置。
【請求項３０】
前記ＵＬ  ＨＡＲＱタイミングまたは前記ＤＬ  ＨＡＲＱタイミングのうちの少なくとも１つは、イボルブド・ユニバーサル地上ラジオ・アクセス（Ｅ−ＵＴＲＡ）リリース８規格におけるＨＡＲＱタイミングと同じである、請求項１８に記載の装置。
【請求項３１】
前記第２のサブフレームのセットに含まれない周期的なチャネル状態情報（ＣＳＩ）メッセージのためのアップリンク送信を禁止する手段、をさらに備える請求項１８に記載の装置。
【請求項３２】
前記第２のサブフレームのセットに含まれないスケジューリング要求（ＳＲ）メッセージのためのアップリンク送信を禁止する手段、をさらに備える請求項１８に記載の装置。
【請求項３３】
前記第２のサブフレームのセットに含まれないサウンディング基準信号（ＳＲＳ）のためのアップリンク送信を禁止する手段、をさらに備える請求項１８に記載の装置。
【請求項３４】
前記アップリンクＨ−ＡＲＱタイミングが同期的であり、アップリンク（ＵＬ）許可が予め定義された期間内に受信されない場合、アップリンク・パケットの再送信を見合わせる手段、をさらに備える請求項１８に記載の装置。
【請求項３５】
プロセッサとメモリとを備える、無線通信システムにおける中継動作のための装置であって、
ｅノードＢ（ｅＮＢ）から中継ノードへのダウンリンク通信のための第１のサブフレームのセットを決定することと、
前記中継ノードから前記ｅＮＢへのアップリンク通信のための第２のサブフレームのセットを決定することと、
第１の遅延と前記第１のサブフレームのセットと前記第２のサブフレームのセットとに基づいて、第１の制御送信とハイブリッド自動反復要求（ＨＡＲＱ）アクノレッジ（ＡＣＫ）メッセージとの間のダウンリンク（ＤＬ）ＨＡＲＱタイミングを決定することと、
第２の遅延と前記第１のサブフレームのセットと前記第２のサブフレームのセットとに基づいて、第２の制御送信とアップリンク送信との間のアップリンク（ＵＬ）ＨＡＲＱタイミングを決定することと、
前記第２のサブフレームのセットにおけるアップリンク・データ送信に応答して、前記第１のサブフレームのセットにおけるＨ−ＡＲＱチャネル送信を禁止することと、
を実行するために前記プロセッサによって実行されることが可能なプログラム・コードを前記メモリが含む、装置。
【請求項３６】
前記第２のサブフレームのセットは、前記第１のサブフレームのセットと、前記第１の遅延または前記第２の遅延のうちの少なくとも１つとに基づく、請求項３５に記載の装置。
【請求項３７】
前記メモリはさらに、前記ＤＬ  ＨＡＲＱタイミングに基づいて、前記第１のサブフレームのセットからの少なくとも２つのサブフレームを、前記第２のサブフレームのセットからのサブフレームへマップするためのプログラム・コードを備える、請求項３５に記載の装置。
【請求項３８】
前記メモリはさらに、ＡＣＫ／ＮＡＫバンドリング・モードと、ＡＣＫ／ＮＡＫ多重化モードとのうちの少なくとも１つにおいて動作するように前記中継ノードを設定するためのプログラム・コードを備える、請求項３７に記載の装置。
【請求項３９】
前記メモリはさらに、前記ＵＬ  ＨＡＲＱタイミングに基づいて、前記第２のサブフレームのセットからの少なくとも２つのサブフレームを、前記第１のサブフレームのセットからのサブフレームへマップするためのプログラム・コードを備える、請求項３５に記載の装置。
【請求項４０】
前記メモリはさらに、前記第１のサブフレームのセットからのサブフレームにおいて前記第２の制御送信を使用し、前記第２のサブフレームのセットからの少なくとも２つのサブフレームのために、前記アップリンク送信をスケジュールするためのプログラム・コードを備える、請求項３９に記載の装置。
【請求項４１】
前記ＵＬ  ＨＡＲＱタイミングは、周波数分割デュプレクス（ＦＤＤ）について、８ミリ秒の設定周期を有しているか、または、時分割デュプレクス（ＴＤＤ）について、１０ミリ秒の設定周期を有している、請求項３５に記載の装置。
【請求項４２】
前記ＤＬ  ＨＡＲＱタイミングは、周波数分割デュプレクス（ＦＤＤ）について、４０ミリ秒の設定周期を有しているか、または、時分割デュプレクス（ＴＤＤ）について、１０ミリ秒の設定周期を有している、請求項３５に記載の装置。
【請求項４３】
前記メモリはさらに、前記第２のサブフレームのセットに含まれない周期的なチャネル状態情報（ＣＳＩ）メッセージのためのアップリンク送信を禁止するためのプログラム・コードを備える、請求項３５に記載の装置。
【請求項４４】
前記メモリはさらに、前記第２のサブフレームのセットに含まれないスケジューリング要求（ＳＲ）メッセージのためのアップリンク送信を禁止するためのプログラム・コードを備える、請求項３５に記載の装置。
【請求項４５】
前記メモリはさらに、前記第２のサブフレームのセットに含まれないサウンディング基準信号（ＳＲＳ）のためのアップリンク送信を禁止するためのプログラム・コードを備える、請求項３５に記載の装置。
【請求項４６】
前記メモリはさらに、前記アップリンクＨ−ＡＲＱタイミングが同期的であり、アップリンク（ＵＬ）許可が予め定義された期間内に受信されない場合、アップリンク・パケットの再送信を見合わせるためのプログラム・コードを備える、請求項３５に記載の装置。
【請求項４７】
無線通信システムにおける中継動作のためのコンピュータ読取可能な記憶媒体であって、
ｅノードＢ（ｅＮＢ）から中継ノードへのダウンリンク通信のための第１のサブフレームのセットを決定するためのコードと、
前記中継ノードから前記ｅＮＢへのアップリンク通信のための第２のサブフレームのセットを決定するためのコードと、
第１の遅延と前記第１のサブフレームのセットと前記第２のサブフレームのセットとに基づいて、第１の制御送信とハイブリッド自動反復要求（ＨＡＲＱ）アクノレッジ（ＡＣＫ）メッセージとの間のダウンリンク（ＤＬ）ＨＡＲＱタイミングを決定するためのコードと、
第２の遅延と前記第１のサブフレームのセットと前記第２のサブフレームのセットとに基づいて、第２の制御送信とアップリンク送信との間のアップリンク（ＵＬ）ＨＡＲＱタイミングを決定するためのコードと、
前記第２のサブフレームのセットにおけるアップリンク・データ送信に応答して、前記第１のサブフレームのセットにおけるＨ−ＡＲＱチャネル送信を禁止するためのコードと、
を備えるコンピュータ読取可能な記憶媒体。
【発明の詳細な説明】
【優先権の主張】
【０００１】
本特許出願は、「無線通信における中継のための送信−応答タイミング」(Transmit- Response Timing for Relay in Wireless Communications)と題された２００９年１２月１８日出願の米国特許仮出願６１／２８８，１５９号に対する優先権を主張する。この仮出願は、本明細書の譲受人に譲渡され、本明細書に参照によって明確に組み込まれている。
【技術分野】
【０００２】
本開示は、一般に、高速無線通信のために最適化されたシグナリングを提供するための装置および方法に関する。さらに詳しくは、本開示は、無線通信における中継動作のための送信−応答タイミングに関する。
【背景技術】
【０００３】
無線通信システムは、例えば、音声、データ等のようなさまざまなタイプの通信コンテンツを提供するために広く開発された。これらのシステムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、３ＧＰＰロング・ターム・イボリューション（ＬＴＥ）システム、および直交周波数分割多元接続（ＯＦＤＭＡ）システム等を含む。
【０００４】
一般に、無線多元接続通信システムは、複数の無線端末のための通信を同時にサポートしうる。端末はおのおのの、順方向リンクおよび逆方向リンクによる送信を介して１または複数の基地局と通信する。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力単一出力システム、あるいは複数入力複数出力（ＭＩＭＯ）システム等によって確立されうる。
【０００５】
一般に、多元接続無線通信は、無線トラフィックのアービタまたはコントローラとしてのサービス提供ネットワークから、少なくとも部分的に管理される。サービス提供ネットワークは、ユーザ機器へ制御情報を送信し、異なるアクセス端末へ特定の無線リソースを割り当て、アップリンクおよびダウンリンクの干渉を管理し、近隣の基地局間のＭＩＭＯ送信を調整し、利用可能な基地局間のネットワーク負荷を共有する、等を行う。本質的には、サービス提供ネットワークは、高品質トラフィックの一貫性を保証するため、および、ベスト・エフォート・トラフィックの信頼性を調節するために、別の無線通信を管理するための中央プランナとして動作する。
【０００６】
ネットワークが、地理的に拡大し、ネットワークとユーザ機器との両方が、電子機能において発展すると、ネットワーク管理は、さらなる複雑さを呈する。後方互換性は、ネットワークの計画および展開に対して設計上の多くの複雑さを加える可能性のある特定の制約である。ネットワーク機器とユーザ機器との両方における新たな電子機能によって、無線通信のための新たな無線機能、サービス、およびパフォーマンスを可能とする。しかしながら、これら新たな機能はしばしば、無線通信を実行するために、標準化されたメカニズムに対する変更を必要としうる。しかしながら、これらの変更はしばしば、以前の規格で設計された機器が、新たな規格を適用することを妨げうる。特に、ユーザ機器については、規格の顕著な変更は、旧式の無線通信を適用する何百万ものモバイル電話、コンピュータ・アクセサリ等を放棄しうる。一方、後方互換性は、新たな電子機能および能力を中心として設計された新たな規格と連携したレガシー機器のためのサポートを保証する。
【０００７】
しかしながら、古い規格を新たな規格へ永久的に持ち込むことは、異なるタイプの電子機器のために分解または分離されたルール・セットに基づく、複雑な無線通信アーキテクチャに至ることになりうる。したがって、無線通信における新たな研究は、一般に、新たな技術を動作する機器、または、これらを適用するレガシー・デバイスに不利な影響を与えることなく、新たな技術を適用することに向けられている。この概念は、一般に、ラジオ・アクセス・ネットワーク・インフラストラクチャ（例えば、基地局、中継局、リピータ局、基地局コントローラ、モバイル交換センタ等）、コア・ネットワーク・インフラストラクチャ（例えば、ロケーション・レジスタ、課金および請求サーバ、加入サーバ、カスタマ・サポート・インフラストラクチャ等）のみならず、ユーザ機器自身（例えば、モバイル電話、携帯情報端末、スマート・フォン等）について当てはまる。無線通信規格グループ（例えば、３ＧＰＰ、３ＧＰＰ２）は、一般に、アクセス・ネットワーク、コア・ネットワーク、およびユーザ機器のために新たな規格を採用する場合、新たな電子技術および今後出現する電子技術に基づいて、これらの概念を念頭におくことを課せられる。
【発明の概要】
【０００８】
本開示は、無線通信における中継動作のための送信−応答タイミングを提供する。本開示のいくつかの態様では、非中継規格および新たな中継適合ユーザ端末に基づいて、ユーザ端末のための一貫したサポートを達成するタイミング設定が提供される。特定の態様では、このタイミング設定は、バックホール・ネットワークにおける中継動作のためのマルチキャスト・ブロードキャスト単一周波数ネットワーク（ＭＢＳＦＮ： multicast broadcast single frequency network）サブフレームを提供する。さらに、このタイミング設定は、少なくとも１つの態様では、８ミリ秒システム、１０ミリ秒システム、または、８ミリ秒システムと１０ミリ秒システムとの両方をサポートするダウンリンク周期を採用する。アップリンク周期も同様に８ミリ秒、１０ミリ秒、または、組み合わされた周期に基づきうる。あるいは、選択されたダウンリンク周期に結び付けられうる。１つの特定の態様によれば、設定されたサブフレームについて、次に利用可能なベースでタイミング関係を指定するアド・ホック送信−応答タイミングが提供される。他の態様によれば、中継ノードとユーザ端末との間のアクセス・リンク・ネットワーク、および／または、バックホール・ネットワークにおける制御チャネル・サブフレームのためのＡＣＫ／ＮＡＣＫタイミングを提供するために、非対称のアップリンクおよびダウンリンクのマッピングが採用される。さらに別の態様によれば、中継ノードの動作を簡素化するために、制御メッセージとパケットＡＣＫ／ＮＡＣＫメッセージングとの両方のために、ダウンリンク制御チャネルが適用されうる。説明しているように、本開示は、新たな電子デバイスおよび規格のみならず、レガシー電子デバイスおよび規格にも適合する、中継動作のための一貫性のあるタイミング設定を提供する。
【０００９】
特定の態様によれば、無線通信における中継動作のための送信−応答タイミングのための方法が開示される。この方法は、タイミング設定にしたがって、無線バックホール（ＢＨ）を介して中継ノード（ＲＮ）へ制御データを送信するために、通信インタフェースを適用すること、を備えうる。この方法はまた、タイミング設定にしたがって、無線ＢＨを介して、中継ノードから、制御データに対する応答を受信するために、通信インタフェースを適用すること、を備えうる。さらに、この方法は、タイミング設定との一貫性があるかに関して、この応答を分析するために、データ・プロセッサを適用すること、を備えうる。ここでは、タイミング設定が、複数のレガシー・タイミング設定に適合するＢＨ応答周期を提供する。
【００１０】
別の態様によれば、無線通信における中継動作のための送信−応答タイミングのための装置が提供される。この装置は、無線ＢＨネットワークを介してＲＮとの間で無線信号の送信および受信を行う無線トランシーバを備えうる。さらに、この装置は、ＢＨネットワークを介してＲＮとの無線通信を実施するためのモジュールを格納するメモリと、これらモジュールを実行するためのデータ・プロセッサと、を備えうる。特に、これらモジュールは、タイミング設定にしたがって制御メッセージを生成する制御モジュールを備えうる。ここで、制御モジュールは、ＲＮの無線ＢＨ通信を管理するために、ＲＮに制御メッセージを送信する無線トランシーバを適用する。これらモジュールはさらに、制御メッセージに対する応答をＲＮから取得し、この応答とタイミング設定との一貫性を検証するために、無線トランシーバを適用する検証モジュールを備えうる。ここで、タイミング設定は、ＢＨネットワークのための送信−応答タイミングと、ＲＮとユーザ機器との間の無線アクセス・リンク（ＡＬ）とを提供する。さらに、タイミング設定は、少なくとも２つのレガシー・タイミング設定をサポートする。
【００１１】
別の態様によれば、無線通信における中継動作のための送信−応答タイミングのための装置が提供される。この装置は、タイミング設定にしたがって、無線ＢＨを介して、ＲＮへ制御データを送信するために、通信インタフェースを適用する手段を備えうる。さらに、この装置は、タイミング設定にしたがって、無線ＢＨを介して、中継ノードから、制御データに対する応答を受信するために、通信インタフェースを適用する手段を備えうる。上記に加えて、この装置は、タイミング設定との一貫性があるかに関して、この応答を分析するために、データ・プロセッサを適用する手段を備えうる。ここでは、タイミング設定が、複数のレガシー・タイミング設定に適合するＢＨ応答周期を提供する。
【００１２】
他の態様では、無線通信における中継動作にための送信−応答タイミングのために構成された少なくとも１つのプロセッサが提供される。プロセッサ（単数または複数）は、タイミング設定にしたがって、無線バックホール（ＢＨ）を介して中継ノード（ＲＮ）に制御データを送信するモジュールを備えうる。さらに、プロセッサ（単数または複数）は、タイミング設定にしたがって、無線ＢＨを介して、中継ノードから、制御データに対する応答を受信するモジュールを備えうる。上記に加えて、プロセッサ（単数または複数）は、タイミング設定との一貫性があるかに関して、この応答を分析するモジュールを備えうる。ここでは、タイミング設定が、複数のレガシー・タイミング設定に適合するＢＨ応答周期を提供する。
【００１３】
さらに別の態様によれば、主題とする開示は、コンピュータ読取可能な媒体を備えるコンピュータ・プログラム製品を提供する。コンピュータ読取可能な媒体は、コンピュータに対して、タイミング設定にしたがって、無線ＢＨを介してＲＮへ制御データを送信させるためのコードを備えうる。さらに、コンピュータ読取可能な媒体は、コンピュータに対して、タイミング設定にしたがって、無線ＢＨを介して、中継ノードから、制御データに対する応答を受信させるためのコードを備えうる。さらに、コンピュータ読取可能な媒体は、コンピュータに対して、タイミング設定との一貫性があるかに関して、この応答を分析させるためのコードを備えうる。ここでは、タイミング設定が、複数のレガシー・タイミング設定に適合するＢＨ応答周期を提供する。
【００１４】
１または複数のさらなる態様によれば、無線通信における中継動作のための送信−応答タイミングのための方法が開示される。この方法は、ＢＨネットワークを介して、制御データを備えるＤＬメッセージを受信するために、通信インタフェースを適用することを備えうる。この方法はさらに、ＢＨネットワークを介して制御データへ応答するためのタイミング設定を決定するために、制御仕様を参照するために、データ・プロセッサを適用することを備えうる。さらに、この方法は、ＢＨネットワークを介してＵＬで応答メッセージを送信するために、通信インタフェースを適用することを備えうる。ここで、タイミング設定は、１０ミリ秒と８ミリ秒との両方の無線タイミング設定をサポートする。
【００１５】
さらに別の態様によれば、無線通信における中継動作のための送信−応答タイミングのための装置が提供される。この装置は、ＢＨネットワークにおいてデータを送信および受信する、または、無線ＡＬにおいてデータを送信および受信する半デュプレクス通信インタフェースを備えうる。さらに、この装置は、ＢＨネットワークとＡＬのための、一貫性のあるタイミング設定を実施するように構成されたモジュールを格納するためのメモリと、これらモジュールを実行するためのデータ・プロセッサと、を備えうる。特に、これらモジュールは、ＢＨネットワークを介してダウンリンク（ＤＬ）で制御メッセージを取得するための受信機モジュールと、ＢＨネットワークまたはＡＬの何れか一方で、一貫性のあるタイミング設定にしたがって、データを送信または受信するための管理モジュールとを備えうる。ここで、一貫性のあるタイミング設定は、ＢＨネットワークにおける制御応答のためのアド・ホック・タイミング・ルールを備える。
【００１６】
上記に加えて、１または複数のその他の態様は、無線通信における中継動作のための送信−応答タイミングのための装置を提供する。この装置は、ＢＨネットワークを介して、制御データを備えるＤＬメッセージを受信するために、通信インタフェースを適用する手段を備えうる。この装置はまた、ＢＨネットワークを介して制御データへ応答するためのタイミング設定を決定するために、制御仕様を参照するために、データ・プロセッサを適用する手段を備えうる。さらに、この装置は、ＢＨネットワークを介してＵＬで応答メッセージを送信するために、通信インタフェースを適用する手段を備えうる。ここで、タイミング設定は、１０ミリ秒と８ミリ秒との両方の無線タイミング設定をサポートする。
【００１７】
開示された他の態様では、無線通信における中継動作にための送信−応答タイミングのために構成された少なくとも１つのデータ・プロセッサが開示される。プロセッサ（単数または複数）は、制御データを備えるＤＬメッセージをＢＨネットワークを介して受信するためのモジュールを備えうる。プロセッサ（単数または複数）はさらに、ＢＨネットワークを介して制御データへ応答するためのタイミング設定を決定するために、制御仕様を参照するためのモジュールを備えうる。それに加えて、プロセッサ（単数または複数）はさらに、ＢＨネットワークを介してＵＬで応答メッセージを送信するためのモジュールを備えうる。ここで、タイミング設定は、１０ミリ秒と８ミリ秒との両方の無線タイミング設定をサポートする。
【００１８】
少なくとも１つのさらなる態様では、コンピュータ読取可能媒体を備えるコンピュータ・プログラム製品が開示される。このコンピュータ読取可能な媒体は、コンピュータに対して、制御データを備えるＤＬメッセージをＢＨネットワークを介して受信させるためのコードを備えうる。さらに、このコンピュータ読取可能な媒体は、コンピュータに対して、ＢＨネットワークを介して制御データへ応答するためのタイミング設定を決定するために、制御仕様を参照させるためのコードを備えうる。前述したものに加えて、このコンピュータ読取可能な媒体は、コンピュータに対して、ＢＨネットワークを介してＵＬで応答メッセージを送信させるためのコードを備えうる。ここで、タイミング設定は、１０ミリ秒と８ミリ秒との両方の無線タイミング設定をサポートする。
【００１９】
別の態様によれば、ｅノードＢ（ｅＮＢ）から中継ノードへのダウンリンク通信のための第１のサブフレームのセットを決定することと、中継ノードからｅＮＢへのアップリンク通信のための第２のサブフレームのセットを決定することと、第１の最小遅延と第１のサブフレームのセットと第２のサブフレームのセットとに基づいて、第１の制御送信とＨＡＲＱアクノレッジ（ＡＣＫ）メッセージとの間のダウンリンク（ＤＬ）ハイブリッド自動反復要求（ＨＡＲＱ）タイミングを決定することと、第２の最小遅延と第１のサブフレームのセットと第２のサブフレームのセットとに基づいて、第２の制御送信とアップリンク送信との間のアップリンク（ＵＬ）ハイブリッド自動反復要求（ＨＡＲＱ）タイミングを決定することとを備える、無線通信システムにおける中継動作のための方法。
【００２０】
別の態様によれば、ｅノードＢ（ｅＮＢ）から中継ノードへのダウンリンク通信のための第１のサブフレームのセットを決定する手段と、中継ノードからｅＮＢへのアップリンク通信のための第２のサブフレームのセットを決定する手段と、第１の最小遅延と第１のサブフレームのセットと第２のサブフレームのセットとに基づいて、第１の制御送信とＨＡＲＱアクノレッジ（ＡＣＫ）メッセージとの間のダウンリンク（ＤＬ）ハイブリッド自動反復要求（ＨＡＲＱ）タイミングを決定する手段と、第２の最小遅延と第１のサブフレームのセットと第２のサブフレームのセットとに基づいて、第２の制御送信とアップリンク送信との間のアップリンク（ＵＬ）ハイブリッド自動反復要求（ＨＡＲＱ）タイミングを決定する手段とを備える、無線通信システムにおける中継動作のための装置。
【００２１】
別の態様によれば、プロセッサとメモリとを備え、無線通信システムにおける中継動作のための装置。このメモリは、ｅノードＢ（ｅＮＢ）から中継ノードへのダウンリンク通信のための第１のサブフレームのセットを決定することと、中継ノードからｅＮＢへのアップリンク通信のための第２のサブフレームのセットを決定することと、第１の最小遅延と第１のサブフレームのセットと第２のサブフレームのセットとに基づいて、第１の制御送信とＨＡＲＱアクノレッジ（ＡＣＫ）メッセージとの間のダウンリンク（ＤＬ）ハイブリッド自動反復要求（ＨＡＲＱ）タイミングを決定することと、第２の最小遅延と第１のサブフレームのセットと第２のサブフレームのセットとに基づいて、第２の制御送信とアップリンク送信との間のアップリンク（ＵＬ）ハイブリッド自動反復要求（ＨＡＲＱ）タイミングを決定することと、を実行するためにプロセッサによって実行可能なプログラム・コードを含む。
【００２２】
別の態様によれば、ｅノードＢ（ｅＮＢ）から中継ノードへのダウンリンク通信のための第１のサブフレームのセットを決定するためのコードと、中継ノードからｅＮＢへのアップリンク通信のための第２のサブフレームのセットを決定するためのコードと、第１の最小遅延と第１のサブフレームのセットと第２のサブフレームのセットとに基づいて、第１の制御送信とＨＡＲＱアクノレッジ（ＡＣＫ）メッセージとの間のダウンリンク（ＤＬ）ハイブリッド自動反復要求（ＨＡＲＱ）タイミングを決定するためのコードと、第２の最小遅延と第１のサブフレームのセットと第２のサブフレームのセットとに基づいて、第２の制御送信とアップリンク送信との間のアップリンク（ＵＬ）ハイブリッド自動反復要求（ＨＡＲＱ）タイミングを決定するためのコードとを備える、コンピュータ読取可能な媒体を備える、無線通信システムにおける中継動作のためのコンピュータ・プログラム製品。
【００２３】
本開示の利点は、特に送信−応答タイミングに関して、中継ノードをレガシー機器に適合させることを含みうる。
【００２４】
他の態様が、例示によってさまざまな態様が図示および記載された以下の詳細説明から、その他の態様も、当業者に容易に明らかになるであろうことが理解される。これら図面および詳細説明は、本質的に例示的であり、限定的であるとはみなされない。
【図面の簡単な説明】
【００２５】
【図１】図１は、モバイル通信へのネットワークに適切な無線環境の例のブロック図を例示する。
【図２】図２は、いくつかの態様にしたがって無線通信を容易にする無線送信−受信チェーンの例のブロック図を図示する。
【図３】図３は、本開示の態様にしたがう、ネットワーク基地局のためのタイミング設定装置の例のブロック図を例示する。
【図４】図４は、本開示の態様にしたがう中継ノードのためのタイミング設定装置の例のブロック図を例示する。
【図５】図５は、無線通信システムにおける中継動作のための送信−応答タイミングのためのフロー図の第１の例を例示する。
【図６】図６は、無線通信システムにおける中継動作のための送信−応答タイミングのためのフロー図の第２の例を例示する。
【図７】図７は、無線通信システムにおける中継動作のための送信−応答タイミングのために設定されることが可能な電子デバイスの第１の例を例示する。
【図８】図８は、無線通信システムにおける中継動作のための送信−応答タイミングのために設定されることが可能な電子デバイスの第２の例を例示する。
【図９】図９は、無線通信システムにおける中継動作のためのフロー図の例を例示する。
【図１０】図１０は、無線通信システムにおける中継動作のための処理を実行するための、メモリと通信するプロセッサを備えるデバイスの例を例示する。
【図１１】図１１は、無線通信システムにおける中継動作に適切なデバイスの例を例示する。
【発明を実施するための形態】
【００２６】
添付図面とともに以下に説明する詳細説明は、本開示のさまざまな態様の説明として意図されており、本開示が実現される態様のみを表すことは意図されていない。本開示に記載されたおのおのの態様は、単に、本開示の例示または例として提供されており、他の態様よりも好適であるとか有利であるとか必ずしも解釈されるべきではない。詳細説明は、本開示の完全な理解を提供することを目的とした具体的な詳細を含んでいる。しかしながら、本開示は、これら具体的な詳細なしで実現されうることが当業者に明らかになるだろう。いくつかの事例では、本開示の概念を不明確にすることを避けるために、周知の構成およびデバイスが、ブロック図形式で示される。単に利便性および明確性のために、頭文字および他の記述的な用語が使用されるが、本開示の範囲を限定することは意図されていない。
【００２７】
説明を単純にする目的で、これら方法は、一連の動作として示され説明されているが、これら方法は、１または複数の態様にしたがって、いくつかの動作が本明細書で示され記載されたものとは異なる順序で、あるいは他の動作と同時に生じうるので、動作の順序によって限定されないことが理解され認識されるべきである。例えば、当業者であれば、これら方法は代わりに、例えば状態図におけるように、一連の相互関連する状態またはイベントとして表されうることを理解し認識するだろう。さらに、１または複数の態様にしたがって方法を実現するために、必ずしも例示された全ての動作が必要とされる訳ではない。
【００２８】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のような様々な無線通信ネットワークのために使用される。「システム」、「ネットワーク」という用語は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（Ｗ−ＣＤＭＡ）および低チップ・レート（ＬＣＲ）を含む。ｃｄｍａ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えばイボルブドＵＴＲＡ（Ｅ−ＵＴＲＡ）、ＩＥＥＥ  ８０２．１６、ＩＥＥＥ  ８０２．１６、ＩＥＥＥ  ８０２．２０、フラッシュＯＦＤＭ（登録商標）等のようなラジオ技術を実現することができる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ｃｄｍａ２０００は、「第３世代パートナシップ計画２」（３ＧＰＰ２）と命名された組織からの文書に記載されている。これらさまざまなラジオ技術および規格は、当該技術分野において知られている。
【００２９】
図１は、モバイル通信へのネットワークに適切な無線環境の例のブロック図を例示する。アクセス・ポイント１１０（ＡＰ）は、１つは１１９および１２０を含み、別の１つは１２３および１２４を含み、さらに別の１つは１１４および１１６を含む複数のアンテナ・グループを含む。図１では、おのおののアンテナ・グループについて２本のアンテナしか示されていない。しかしながら、おのおののアンテナ・グループについて、これより多くまたはこれより少ないアンテナが利用されうる。アクセス端末１２６（ＡＴ）（例えば、ユーザ機器すなわちＵＥ）は、アンテナ１２３、１２４と通信しており、アンテナ１２２、１２４は、順方向リンク１２０でアクセス端末１２６へ情報を送信し、逆方向リンク１２９でアクセス端末１２６から情報を受信する。アクセス端末１３２は、アンテナ１１４、１１６と通信しており、アンテナ１１４、１１６は、順方向リンク１３６でアクセス端末１３２へ情報を送信し、逆方向リンク１３４でアクセス端末１３２から情報を受信する。ＦＤＤシステムでは、通信リンク１２９、１３０、１３４、１３６は、通信のために、異なる周波数を使用しうる。例えば、順方向リンク１３０は、逆方向リンク１２９によって使用されるものとは異なる周波数を使用しうる。
【００３０】
通信するように設計された領域および／またはアンテナのおのおののグループは、しばしば、アクセス・ポイントのセクタと称される。本開示では、アンテナ・グループはおのおの、アクセス・ポイント１１０によってカバーされた領域のセクタ内のアクセス端末へ通信するように設計される。
【００３１】
順方向リンク１３０、１３６による通信では、アクセス・ポイント１１０の送信アンテナは、別のアクセス端末１２６、１３２の順方向リンクの信号対雑音比を改善するために、ビームフォーミングを利用する。さらに、有効範囲領域にわたってランダムに散在するアクセス端末へ送信するためにビームフォーミングを用いるアクセス・ポイントは、全てのアクセス端末へ単一のアンテナによって送信するアクセス・ポイントよりも、近隣のセル内のアクセス端末に対して少ない干渉しかもたらさない。
【００３２】
アクセス・ポイントは、端末と通信するために使用される固定局であり、アクセス・ポイント、ノードＢ、あるいはその他いくつかの専門用語でも称されうる。
【００３３】
アクセス端末はまた、アクセス端末、ユーザ機器（ＵＥ）、無線通信デバイス、端末、アクセス端末、あるいはその他いくつかの専門用語で称されうる。
【００３４】
図２は、いくつかの態様にしたがって無線通信を容易にする無線送信−受信チェーンの例のブロック図を図示する。１つの態様では、図２は、ＭＩＭＯシステム２００における送信機システム２１０（アクセス・ポイントとしても知られている）および受信機システム２５０（アクセス端末としても知られている）を示す。送信機システム２１０では、多くのデータ・ストリーム用のトラフィック・データが、データ・ソース２１２から送信（ＴＸ）データ・プロセッサ２１４に提供される。
【００３５】
１つの態様では、データ・ストリームはおのおのの、それぞれの送信アンテナを介して送信される。ＴＸデータ・プロセッサ２１４は、おのおののデータ・ストリームのトラフィック・データをフォーマットし、このデータ・ストリームのために選択された特定の符号化スキームに基づいて符号化し、インタリーブして、符号化されたデータを提供する。
【００３６】
おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。おのおののデータ・ストリームについて多重化されたパイロットおよび符号化されたデータは、データ・ストリームのために選択された特定の変調スキーム（例えば、ＢＰＳＫ、ＱＰＳＫ、Ｍ−ＰＳＫ、あるいはＭ−ＱＡＭ等）に基づいて変調（例えば、シンボル・マップ）され、変調シンボルが提供される。おのおののデータ・ストリームのデータ・レート、符号化、および変調は、プロセッサ２３０によって実行される命令群によって決定されうる。
【００３７】
すべてのデータ・ストリームの変調シンボルは、（例えば、ＯＦＤＭのための）変調シンボルを処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信器（ＴＭＴＲ）２２２Ａ乃至２２２Ｔへ提供する。ある実施形態では、ＴＸ  ＭＩＭＯプロセッサ２２０は、データ・ストリームのシンボル、および、このシンボルが送信されるアンテナへ、ビームフォーミング重みを適用する。
【００３８】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。その後、送信機２２２Ａ乃至２２２ＴからのＮＴ個の変調信号が、ＮＴ個のアンテナ２２４Ａ乃至２２４Ｔからそれぞれ送信される。
【００３９】
受信機システム２５０では、送信された変調信号がＮＲ個のアンテナ２５２Ａ乃至２５２Ｒによって受信され、おのおののアンテナ２５２からの受信信号が、それぞれの受信機（ＲＣＶＲ）２５４Ａ乃至２５４Ｒへ提供される。おのおのの受信機２５４は、受信したそれぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００４０】
ＲＸデータ・プロセッサ２６０は、その後、ＮＲ個の受信機２５４からＮＲ個のシンボル・ストリームを受信し、受信されたこれらシンボル・ストリームを、特定の受信処理技術に基づいて処理して、ＮＴ個の「検出された」シンボル・ストリームを提供する。ＲＸデータ・プロセッサ２６０は、その後、検出されたおのおののシンボル・ストリームを復調し、デインタリーブし、復号して、このデータ・ストリームのためのトラフィック・データを復元する。ＲＸデータ・プロセッサ２６０による処理は、送信機システム２１０におけるＴＸ  ＭＩＭＯプロセッサ２２０およびＴＸデータ・プロセッサ２１４によって実行されるものに対して相補的である。
【００４１】
プロセッサ２８０は、（後述するように、）どのプリコーディング行列を使用するのかを定期的に決定する。プロセッサ２８０は、行列インデクス部およびランク値部を備えた逆方向リンク・メッセージを規定する。
【００４２】
逆方向リンク・メッセージは、通信リンクおよび／または受信されたデータ・ストリームに関するさまざまなタイプの情報を備えうる。逆方向リンク・メッセージは、その後、多くのデータ・ストリームのトラフィック・データをデータ・ソース２３６から受け取るＴＸデータ・プロセッサ２３８によって処理され、変調器２９０によって変調され、送信機２５４Ａ乃至２５４Ｒによって調整され、基地局２１０へ送り戻される。
【００４３】
送信機システム２１０では、受信機システム２５０からの変調信号がアンテナ２２４によって受信され、受信機２２２によって調整され、復調器２４０によって復調され、ＲＸデータ・プロセッサ２４２によって処理されることによって、受信機システム２５０によって送信された逆方向リンク・メッセージが抽出される。さらに、プロセッサ２３０は、ビームフォーミング重みを決定するためにどのプリコーディング行列を使用するかを決定し、この抽出されたメッセージを処理する。
【００４４】
態様では、論理チャネルが、制御チャネルとトラフィック・チャネルとに分類される。論理制御チャネルは、システム制御情報をブロードキャストするためのＤＬチャネルであるブロードキャスト制御チャネル（ＢＣＣＨ）を備える。ページング情報を転送するＤＬチャネルであるページング制御チャネル（ＰＣＣＨ）。１またはいくつかのマルチキャスト・トラフィック・チャネル（ＭＴＣＨ）のための、マルチメディア・ブロードキャストおよびマルチメディア・サービス（ＭＢＭＳ）スケジューリングと制御情報とを送信するために使用されるポイント・トゥ・マルチポイントＤＬチャネルであるマルチキャスト制御チャネル（ＭＣＣＨ）。一般に、ＲＲＣ接続を確立した後、このチャネルは、ＭＢＭＳ（注：旧ＭＣＣＨ＋ＭＳＣＨ）を受信するＵＥによってのみ使用される。専用制御チャネル（ＤＣＣＨ）は、専用制御情報を送信するポイント・トゥ・ポイント双方向チャネルであり、ＲＲＣ接続を有するＵＥによって使用される。態様では、論理トラフィック・チャネルは、ユーザ情報の転送のために１つのＵＥに専用のポイント・トゥ・ポイント双方向チャネルである専用トラフィック・チャネル（ＤＴＣＨ）を備える。さらに、論理トラフィック・チャネルは、トラフィック・データを送信するために、ポイント・トゥ・マルチポイントＤＬチャネルのＭＴＣＨを備えうる。
【００４５】
態様では、伝送チャネルが、ＤＬとＵＬとに分類される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を備える。ＰＣＨは、セル全体にわたってブロードキャストされ、他の制御／トラフィック・チャネルのために使用されるＰＨＹリソースへマップされることによって、ＵＥの節電をサポートする（例えば、ＤＲＸサイクルが、ネットワークによってＵＥへ示されうる等）。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを備える。ＰＨＹチャネルは、ＤＬチャネルとＵＬチャネルとのセットを備える。
【００４６】
ＤＬ  ＰＨＹチャネルは、共通パイロット・チャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、および共有ＵＬ割当チャネル（ＳＵＡＣＨ）、を備える。さらに、ＤＬ  ＰＨＹチャネルは、アクノレッジメント・チャネル（ＡＣＫＣＨ）、ＤＬ物理共有データ・チャネル（ＤＬ−ＰＳＤＣＨ）、ＵＬ電力制御チャネル（ＵＰＣＣＨ）、ページング・インジケータ・チャネル（ＰＩＣＨ）、および負荷インジケータ・チャネル（ＬＩＣＨ）を備えうる。
【００４７】
ＵＬ  ＰＨＹチャネルは、物理ランダム・アクセス・チャネル（ＰＲＡＣＨ）、チャネル品質インジケータ・チャネル（ＣＱＩＣＨ）、およびアクノレッジメント・チャネル（ＡＣＫＣＨ）を備える。さらに、ＵＬ  ＰＨＹチャネルは、アンテナ・サブセット・インジケータ・チャネル（ＡＳＩＣＨ）、共有要求チャネル（ＳＲＥＱＣＨ）、ＵＬ物理共有データ・チャネル（ＵＬ−ＰＳＤＣＨ）、およびブロードバンド・パイロット・チャネル（ＢＰＩＣＨ）を備える。
【００４８】
図３は、本開示の態様にしたがう、ネットワーク基地局のためのタイミング設定装置の例のブロック図を例示する。１つの態様では、図３は、図示しない中継ノード（ＲＮ）を適用する無線ネットワーク通信のためのタイミング設定を提供するための基地局タイミング装置３００を例示する。タイミング設定は、ネットワーク基地局とＲＮとの間の無線通信のためのバックホール（ＢＨ）タイミング設定を備えうる。特に、タイミング設定は、ネットワーク基地局とＲＮとの間の、自動反復要求（ＡＲＱ）通信、ハイブリッドＡＲＱ（ＨＡＲＱ）通信、アクノレッジメント（ＡＣＫ）／否定的ＡＣＫ（ＮＡＣＫ）送信等を含む、制御およびデータ・チャネル通信のためのサブフレームのセットを含みうる。さらに、ＲＮとアクセス端末（ＡＴ）との間のＡＬ無線通信の制御およびスケジューリングを制御するために、アクセス・リンク（ＡＬ）タイミング設定が、タイミング設定によって指定されうる。
【００４９】
上記に加えて、基地局タイミング装置３００は、無線ネットワークの基地局に接続されうる。このような場合、装置３００は、装置３００のメモリ３０６に格納されたタイミング設定３１２を実施するために、基地局によって適用されうる。タイミング設定３１２は、ＲＮとのＢＨリンクのための、および、ＲＮとＡＴとの間のＡＬのための制御シグナリングを用いて基地局によって実施されうる。少なくとも１つの態様では、ＢＨリンクのための制御シグナリングは、ＲＮ毎ベースで、バックホール・サブフレームにおいて実行されうる。１つの態様では、マルチメディア・ブロードキャスト単一周波数ネットワーク（ＭＢＳＦＮ）サブフレームが、ＲＮにおいてＢＨリンクのために適用されうる。このような場合、ＲＮは、適切なように、半デュプレクス送信機であるか、または、全デュプレクス送信機でありうる。
【００５０】
１つの特定の例では、装置３００は、無線ＢＨネットワークを介してＲＮと無線信号の送信および受信を行う無線通信インタフェース（無線トランシーバ、または、無線トランシーバを備えた電子通信インタフェースを含みうる）３０２を備える。さらに、装置３００は、タイミング設定３１２を実施するように構成されたモジュールのセットを格納するためのメモリと、モジュールのセットを実行するように構成されたデータ・プロセッサ３０４とを備えうる。１つの態様では、データ・プロセッサ３０４は、メモリ３０６に格納されたタイミング設定３１２を実施するためのタイミング設定ユニット（３０５）（図示せず）を含む。具体的には、装置３００は、タイミング設定３１２にしたがって制御メッセージを生成する制御モジュール３０８を備えうる。そして、ＲＮの無線ＢＨ通信を管理するために、ＲＮへ制御メッセージを送信するために、通信インタフェース３０２を適用する。さらに、装置３００は、制御メッセージに対する応答をＲＮから取得するために、通信インタフェース３０２を適用し、かつ、この応答とタイミング設定３１２との一貫性を検証する、検証モジュール３１０を備えうる。１つの態様では、タイミング設定３１２は、ＢＨネットワークのため、および、ＲＮとユーザ機器との間の無線アクセス・リンク（ＡＬ）のための、送信−応答タイミングを提供する。代替態様または追加の態様では、タイミング設定３１２はまた、少なくとも２つのレガシー・タイミング設定をサポートするタイミング設定をも提供しうる。
【００５１】
特定の例として、タイミング設定３１２は、８ミリ秒（ｍｓ）システム、１０ミリ秒システム、またはこれらの組み合わせをサポートするダウンリンク（ＤＬ）送信のためのＢＨおよびＡＬサブフレーム周期を備える。後者の場合、タイミング設定３１２は、４０ミリ秒システム、または、８ミリ秒システムおよび１０ミリ秒システムを組み込んだその他の適切な周期（例えば、８０ミリ秒）に基づきうる。アップリンク（ＵＬ）送信の場合、タイミング設定３１２は、ＢＨネットワークのみならず、ＡＬのためにも８ミリ秒ＨＡＲＱタイミングを提供しうる。あるいは、ＵＬ送信は、ＤＬ周期に依存しうる。例えば、ＤＬが４０ミリ秒周期を備える場合、ＵＬは、８ミリ秒周期を備える。または、ＤＬが１０ミリ秒周期を備える場合、ＵＬもまた、１０ミリ秒周期を備える。
【００５２】
本開示の少なくとも１つの態様では、ＢＨタイミング設定は、送信−応答送信のために、アド・ホック・タイミングを適用しうる。例えば、ＨＡＲＱ送信または同様の反復要求通信は、予め定められた数の一般的なサブフレームではなく、ＢＨネットワークに割り当てられたサブフレームの利用可能性に基づきうる。ＢＨタイミング設定は、１つの開示された態様では、レイヤ３またはレイヤ２（準静的）シグナリングによって明示的に示されうる。開示された別の態様では、ダウンリンク・チャネルとアップリンク応答との間のタイミング関係を規定する決定論的なルールにしたがって、仕様において、ＢＨタイミング設定が指定される。特定の例として、タイミング設定は、中継物理ダウンリンク共有チャネル（Ｒ−ＰＤＳＣＨ）メッセージとＵＬ  ＡＣＫ／ＮＡＣＫメッセージとの間の、中継物理ダウンリンク制御チャネル（Ｒ−ＰＤＣＣＨ）メッセージと中継物理アップリンク共有チャネル（Ｒ−ＰＵＳＣＨ）メッセージとの間の、あるいは、Ｒ−ＰＵＳＣＨメッセージとＲ−ＰＤＣＣＨまたは中継物理ＨＡＲＱインジケータ・チャネル（Ｒ−ＰＨＩＣＨ）メッセージとの間の、あるいはこれらの組み合わせ等の、次に利用可能な（または、次に利用可能な多くの）専用ＢＨサブフレーム（例えば、ＲＮにおけるＭＢＳＦＮサブフレーム）のためのサブフレーム関係を提供しうる。
【００５３】
本開示のさらに別の態様によれば、ＢＨタイミング設定は、ＤＬサブフレームとＵＬサブフレームとの間の非同期マッピングを備えうる。このような場合、少なくとも１つのＤＬ  ＢＨサブフレーム（例えば、サブフレームｎ、ここでｎは、正の整数）が、少なくとも１つのＵＬ  ＢＨサブフレーム（例えば、ｎ＋４）を用いてマップされる。さらに、いくつかの態様では、複数のＤＬ  ＢＨサブフレームが、単一のＵＬ  ＢＨサブフレームにマップされうる。別のさらなる態様では、単一のＤＬ  ＢＨサブフレームにおけるメッセージが、複数のＵＬ  ＢＨサブフレームにおけるＡＣＫ／ＮＡＣＫメッセージングのためにマップされうる。例えば、ＰＨＩＣＨメッセージは、前述した方式のうちの１または複数で、ＡＣＫ／ＮＡＣＫサブフレームとともにバンドルされうる。
【００５４】
同様に、ＡＬタイミング設定は、ＤＬサブフレームとＵＬサブフレームとの間の非同期マッピングを備えうる。このような場合、少なくとも１つのＤＬ  ＡＬサブフレーム（例えば、サブフレームｎ、ここでｎは正の整数）が、少なくとも１つのＵＬ  ＡＬサブフレーム（例えば、ｎ＋４）を用いてマップされる。さらに、いくつかの態様では、複数のＤＬ  ＡＬサブフレームが、単一のＵＬ  ＡＬサブフレームへマップされうる。他の態様では、単一のＤＬ  ＡＬサブフレームにおけるメッセージが、複数のＵＬ  ＡＬサブフレームにおけるＡＣＫ／ＮＡＣＫメッセージングのためにマップされうる。例えば、ＰＨＩＣＨメッセージは、前述した方式のうちの１または複数で、ＡＣＫ／ＮＡＣＫサブフレームとともにバンドルされうる。
【００５５】
具体的な例として、１つのＤＬの複数のＵＬへのマッピングは、以下のようにして実施されうる。複数のＵＬ  ＰＵＳＣＨメッセージが、共通のＤＬサブフレームにおいてＰＨＩＣＨ／ＰＤＣＣＨと同時に接続されうる。さらに、ＵＬ  ＡＣＫ／ＮＡＣＫバンドリングはまた、ＢＨネットワークのためにも提供されうる。すなわち、複数のＤＬサブフレームにおけるＤＬデータ送信に応答する、共通のＵＬサブフレームにおける複数のＡＣＫ／ＮＡＫのフィードバックが、これらＡＣＫ／ＮＡＫのいくつかのバンドリングが、先ず送信前に実行されるように送信されうる。例として、このバンドリングは、コードワード毎ベースで、複数のＤＬサブフレームのセットにわたって実施されうる。別の例として、このバンドリングは、ＤＬサブフレーム内で、複数のコードワードにわたって実施されうる。さらに別の例として、このバンドリングは、上記２つの例の組み合わせによって行われうる。別の態様では、１つのＰＤＣＣＨが、（例えば、共通のリソース割当、または、変調および符号化スキーム等を用いて）複数のＰＵＳＣＨ送信にスケジュールされうる。別の態様では、最大２つのＰＵＳＣＨが設定されうる。オプションとして、最初の２つのＵＬサブフレームに限定されうる。さらに、例えば、指定されたサブフレームにおいて、検証モジュール３１０において、期待された応答が受信されない場合、ＰＨＩＣＨが適用され、１または複数のＵＬ送信が見合されうる。
【００５６】
Ｍが１より大きい整数である場合における１つのＤＬのＭ個のＵＬへのマッピングのさらなる例として、１つのＰＤＣＣＨが、Ｍ個すべてのＵＬサブフレームを扱うために割り当てられうる。代替例として、おのおののＰＤＣＣＨが１つのＵＬサブフレームをスケジュールする場合、Ｍ個のＵＬサブフレームを扱うＭ個のＰＵＣＣＨが提供されうる。上記に対するさらに別の代替例として、Ｋ個のＵＬサブフレームを扱うためにＭ個のＰＤＣＣＨが割り当てられうる。ここでは、おのおののＰＤＣＣＨが、設定された数（例えば、Ｌ個。ここでＬは、Ｋより大きくない適切な整数）のＵＬサブフレームをスケジュールする。
【００５７】
別の特定の例として、第３世代パートナシップ計画（３ＧＰＰ）ロング・ターム・イボリューション（ＬＴＥ）無線システム（例えば、リリース８）時分割デュプレクス（ＴＤＤ）が、１つの設定のために提供される。ここでは、１つのＤＬサブフレームが、Ｋ個のＵＬサブフレームをスケジュールする。このような場合、Ｋ個のサブフレームからなるグループは、隣接しているか、または非隣接でありうる。例えば、Ｍ＝４、Ｋ＝２の場合、｛ＤＬ，ＵＬ｝マッピングは、｛１，２｝と｛３，４｝、または｛１，３｝と｛２，４｝（あるいは、ＤＬサブフレームとＵＬサブフレームとの別の適切な組み合わせ）でありうる。ここで、これら数字は、Ｋ個のサブフレームからなるセット内のサブフレームのインデクスを表す。ＰＨＩＣＨもこのマッピングに基づいて同様に設計されうる。１つの態様では、単一のＰＨＩＣＨが、Ｍ個すべてのＵＬサブフレームを扱いうる。この態様では、Ｍ個のサブフレームをバンドルするために、ＴＤＤのようなＵＬ  ＡＣＫ／ＮＡＣＫバンドリングが適用されうる。代替態様では、Ｍ個のＵＬサブフレームを扱うために、Ｋ個のＰＨＩＣＨが適用されうる。ここでは、おのおののＰＨＩＣＨが、（Ｍ／Ｋ）個のＵＬサブフレームをバンドルする。さらに、３ＧＰＰ  ＬＴＥ  Ｒｅｌ−８  ＴＤＤの場合、１つのＤＬが、２つのＵＬにマップしており、Ｋは、２に等しくなりうる。（Ｍ／Ｋ）個のＵＬサブフレームのおのおのでは、ＴＤＤのようなバンドリングが適用されうる。さらに、（Ｍ／Ｋ）個のＵＬサブフレームのグループは、隣接しているか、または非隣接でありうる。
【００５８】
１つのさらなる態様によれば、Ｒ−ＰＨＩＣＨは、Ｒ−ＰＤＣＣＨと交換されうる。Ｒ−ＰＨＩＣＨメッセージを交換することによって、あるオーバヘッド効率が、犠牲とされうる。しかしながら、結果として得られるタイミング設定は、ＢＨリンクのための専用ＢＨサブフレーム（例えば、ＲＮにおけるＭＢＳＦＮサブフレーム）に、より効率的にマップされうる。ＢＨネットワークにおけるＵＬでの同期ＨＡＲＱ動作の場合、ＲＮがＲ−ＰＤＣＣＨメッセージを失うと、ＲＮは、Ｒ−ＰＵＳＣＨ送信を見合わせうる。そして、反復された送信をＡＣＫするために、適切なＲ−ＰＤＣＣＨメッセージが受信されるまで、前の送信を反復しうる。ＲＮは、その後、Ｒ−ＰＵＳＣＨ送信を続けうる。
【００５９】
図４は、本開示の態様にしたがう中継ノードのためのタイミング設定装置の例のブロック図を例示する。１つの態様では、図４は、ＢＨネットワーク４０４Ａを介して基地局（ＢＳ）４０４と通信可能に接続されたＲＮ４０２を備えるシステムの例を例示する。特に、ＢＨネットワーク４０４Ａは、例えば、ＲＮにおけるＭＢＳＦＮサブフレーム等のようなサブフレームのセットを用いて、ＲＮ毎ベースで設定されうる。ＢＳ４０４は、ＢＨネットワーク４０４ＡのＤＬサブフレーム上で送信する一方、ＲＮ４０２は、ＢＨネットワーク４０４ＡのＵＬサブフレームで応答する。さらに、ＤＬ送信およびＵＬ応答のタイミング設定および周期は、例えば本明細書に記載されたようなＢＨタイミング設定によって管理される。
【００６０】
ＲＮ４０２は、信号を受信する少なくとも１つのアンテナ４０６（例えば、１または複数の入力／出力インタフェースを備える）と、受信した信号に対して一般的な動作（例えば、フィルタ、増幅、ダウンコンバート等）を実行する受信機（単数または複数）４０８とを含む。一般に、アンテナ４０６および送信機４２４（集合的にトランシーバと称される）は、基地局（単数または複数）４０４との無線データ交換を容易にするように構成されうる。受信機４０８、復調器４１０、変調器４２４、および送信機４２６は、半デュプレクスの送信および受信のために構成されうる。さらに、ＢＨタイミング設定は、ＢＨネットワークのためのみならず、ＲＮ４０２とアクセス端末（図示せず）との間のＡＬネットワークのための半デュプレクスの送信および受信に適合しうることが認識されるべきである。
【００６１】
アンテナ４０６および受信機（単数または複数）４０８はまた、復調器４１０に接続されている。この復調器は、受信したシンボルを復調し、このような信号を、評価のために、データ・プロセッサ（単数または複数）４１２へ提供しうる。データ・プロセッサ（単数または複数）４１２は、ＡＴ４０２の１または複数の構成要素（４０６，４０８，４１０，４１４，４１６，４２８，４３０）の制御および／または参照を実施しうる。さらに、データ・プロセッサ（単数または複数）４１２は、１または複数のモジュール、アプリケーション、エンジン、あるいは、ＲＮ４０２の機能を実行することに関連する情報または制御を備えるその他のものを実行しうる。
【００６２】
これに加えて、ＲＮ４０２のメモリ４１４は、データ・プロセッサ（単数または複数）４１２に動作可能に接続される。メモリ４１４は、送信、受信等されるべきデータと、遠隔デバイス（４０４）との無線通信を実行するのに適切な命令群とを格納しうる。具体的には、これら命令群は、上述された、あるいは、本明細書のどこかで説明されたさまざまな機能を実施するために利用されうる。さらに、図示していないが、メモリ４１４は、上述したＣＥ選択装置４１６に関連付けられ、プロセッサ（単数または複数）４１２によって実行されるモジュール、アプリケーション、エンジン等（例えば、分析モジュール４２０、選択モジュール４２２、動的切換モジュール４２４、タイミング・モジュール４２６）を格納しうる。
【００６３】
ＲＮ４０２はさらに、ＢＳ４０４によって確立されたＢＨタイミング設定と一貫性を持つＲＮ４０２のためのＵＬ応答送信タイミングを管理するための中継タイミング装置４１６を備える。特に、中継タイミング装置４１６は、（例えば、送信機４２６、受信機４０８、およびアンテナ４０６を適用することによって、）ＢＨネットワークでデータを送信および受信するため、または、無線ＡＬにおいてデータを送信および受信するために、半デュプレクス通信インタフェース４１８を備えうる。さらに、装置４１６は、ＢＨネットワークまたはＡＬネットワークのための一貫性のあるタイミング設定を実行するように構成されたモジュールを格納するためのメモリ（例えば、メモリ４１４）と、これらモジュールを実行するためのデータ・プロセッサ（例えば、データ・プロセッサ４１２）とを備えうる。具体的には、これらモジュールは、ＢＨネットワークを介してＤＬで制御メッセージを取得するための処理モジュール４２０と、ＢＨネットワークまたはＡＬの何れか一方で、一貫性のあるタイミング設定にしたがって、データを送信または受信するための管理モジュール４２２とを備えうる。ここで、一貫性のあるタイミング設定は、本明細書に記載されているように、ＢＨネットワークにおける制御応答のためのアド・ホック・タイミング・ルールを備える。
【００６４】
前述のシステムおよび／または装置は、いくつかの構成要素、モジュール、および／または、通信インタフェース間の相互作用に関して記載された。このようなシステムおよび構成要素／モジュール／インタフェースは、ここで指定されたこれらの構成要素／モジュールまたはサブ・モジュール、指定された構成要素／モジュールまたはサブ・モジュールのうちのいくつか、および／または、追加のモジュールを含みうることが認識されるべきである。サブ・モジュールはまた、親モジュール内に含まれたものとは別のモジュールに通信可能に接続されたモジュールとしても実現されうる。さらに、１または複数のモジュールは、収集機能を提供する単一のモジュールに結合されうることが注目されるべきである。例えば、制御モジュール３０８は、制御情報を送信し、この制御情報に対する応答を受信すること、および、単一の構成要素によってこの応答を検証すること、を容易にする検証モジュール３１０を含みうる。またはその逆も可能である。これら構成要素はまた、本明細書に明示的に記載されていないが、当業者によって知られている１または複数のその他の構成要素と相互作用しうる。
【００６５】
さらに、認識されるように、上記開示されたシステムおよび以下に開示される方法のさまざまな部分は、人工知能または知識あるいはルール・ベースの構成要素、サブ構成要素、プロセッサ、手段、方法、またはメカニズム（例えば、サポート・ベクトル・マシン、ニューラル・ネットワーク、エキスパート・システム、ベイエジアン・ビリーフ・ネットワーク、ファジー・ロジック、データ融合エンジン、クラシファイヤ等）を含むか、これらから構成される。とりわけ、このような構成要素は、すでに説明したものに加えて、これらシステムおよび方法の一部を、より適応性高くのみならず、効率的および知的にするために実行されるあるメカニズムまたは処理を自動化しうる。
【００６６】
前述した典型的なシステムを考慮すると、開示された主題にしたがって実施される方法が、図５および図６のフローチャートを参照してより良く理解されるであろう。説明を単純にする目的のために、これら方法は、一連のブロックとして図示および説明されているが、権利主張される主題は、これらブロックの順序によって限定されず、いくつかのブロックは、本明細書に図示および記載されたものと別の順序で、および／または、他のブロックと同時に生じうることが理解および認識されるべきである。さらに、後述する方法を実現するために、例示されたすべてのブロックが、必ずしも必要とされる訳ではない。それに加えて、以下に開示される方法および本明細書全体にわたる方法は、これら方法をコンピュータへ伝送および転送することを容易にするために、製造物品に格納されることが可能であることが認識されるべきである。本明細書で使用される用語「製造物品」は、任意のコンピュータ読取可能なデバイス、キャリアと連携しているデバイス、または記憶媒体からアクセスすることが可能なコンピュータ・プログラムを含むことが意図される。
【００６７】
図５は、無線通信システムにおける中継動作のための送信−応答タイミングのためのフロー図の第１の例を例示する。１つの態様では、図５は、無線ネットワークにおいてタイミング設定を提供するための方法５００の例を例示する。５０２では、方法５００は、ＢＨタイミング設定にしたがって、無線バックホール（ＢＨ）を介して、中継ノード（ＲＮ）へ制御データを送信するために、通信インタフェースを適用することを備えうる。さらに、５０４では、方法５００は、ＢＨタイミング設定にしたがって、無線ＢＨを介して、中継ノードから、制御データに対する応答を受信するために、通信インタフェースを適用することを備えうる。前述に加えて、方法５００は、ＢＨタイミング設定との一貫性があるかに関して、この応答を分析するために、データ・プロセッサを適用することを備えうる。ここでは、ＢＨタイミング設定が、複数のレガシーＨ−ＡＲＱタイミング設定に適合するＢＨ応答周期を提供する。
【００６８】
図６は、無線通信システムにおける中継動作のための送信−応答タイミングのためのフロー図の第２の例を例示する。１つの態様では、図６は、無線通信において中継ノードを提供するための方法６００のサンプルを例示する。６０２では、方法６００は、バックホール（ＢＨ）ネットワークを介して、制御データを備えるダウンリンク（ＤＬ）メッセージを受信するために、通信インタフェースを適用することを備えうる。さらに、方法６００は、６０４において、ＢＨネットワークを介して制御データへ応答するためのタイミング設定を決定するために、制御仕様を参照するために、データ・プロセッサを適用することを備えうる。少なくとも１つの態様では、タイミング設定の決定は、ＵＬバックホール通信のためにサブフレームのセットを決定することに対応する。上記に加えて、方法６００は、６０６において、ＢＨネットワークを介してＵＬで応答メッセージを送信するために、通信インタフェースを適用することを備えうる。ここで、タイミング設定は、１０ミリ秒と８ミリ秒との両方の無線タイミング設定をサポートする。
【００６９】
図７および図８は、無線通信システムにおける中継動作のための送信−応答タイミングのために設定されることが可能な電子デバイスの第１の例および第２の例を例示する。１つの態様では、図７および図８は、本開示のさまざまな態様にしたがって、ネットワークによってトリガされたルート最適化モバイル通信を容易にするためのそれぞれの装置７００、８００の例のブロック図を示す。例えば、装置７００、８００は、例えば、ノードや、基地局や、アクセス・ポイントや、ユーザ端末や、モバイル・インタフェース・カードに接続されたパーソナル・コンピュータ等のように、無線通信ネットワーク内、および／または、送信機内に、少なくとも部分的に存在しうる。装置７００、８００は、プロセッサ、ソフトウェア、またはこれらの組み合わせ（例えば、ファームウェア）によって実現される機能を表す機能ブロックでありうる機能ブロックを含むものとして示されることが認識されるべきである。
【００７０】
装置７００は、中継ノード通信を適用する無線ネットワークにおける一貫性のあるタイミング設定のために構成された１または複数のプログラム・モジュールを格納するためのメモリ７０２を備えうる。さらに、装置７００は、プログラム・モジュールを実行するための１または複数のデータ・プロセッサ７１０を備えうる。具体的には、装置７００は、ＢＨタイミング設定にしたがって、無線ＢＨを介して、ＲＮへ制御データを送信するために、通信インタフェースを適用するモジュール７０２を備えうる。さらに、装置７００は、ＢＨタイミング設定にしたがって、無線ＢＨを介して、中継ノードから、制御データに対する応答を受信するために、通信インタフェースを適用するモジュール７０４を備えうる。前述に加えて、装置７００は、ＢＨタイミング設定との一貫性があるかに関して、この応答を分析するために、データ・プロセッサを適用するモジュール７０６を備えうる。ここでは、ＢＨタイミング設定が、複数のレガシーＨ−ＡＲＱタイミング設定に適合するＢＨ応答周期を提供する。
【００７１】
装置８００は、本開示のさらなる態様にしたがって、無線通信における半デュプレクス中継ノードを管理するように構成された１または複数のプログラム・モジュールを格納するためのメモリ８０２を備えうる。さらに、装置８００は、プログラム・モジュールを実行するためのデータ・プロセッサ（単数または複数）８１０を備えうる。特に、装置８００は、ＢＨネットワークを介して、制御データを備えるＤＬメッセージを受信するために、通信インタフェースを適用するモジュール８０４を備えうる。さらに、装置８００は、ＢＨネットワークを介して制御データへ応答するためのタイミング設定を決定するために、制御仕様を参照するために、データ・プロセッサを適用するモジュール８０６を備えうる。さらに、装置８００は、ＢＨネットワークを介してＵＬで応答メッセージを送信するために、通信インタフェースを適用するモジュール８０８を備えうる。ここで、タイミング設定は、１０ミリ秒と８ミリ秒との両方の無線タイミング設定をサポートする。
【００７２】
１つの態様では、帯域内中継リンクは、送信動作と受信動作とが同時に引き起こらないように、半デュプレクスである。一例では、ＭＢＳＦＮサブフレームは、１０ミリ秒または４０ミリ秒に基づく周期を有しうる。そして、ＦＤＤモードのサブフレーム｛０，４，５，９｝、またはＴＤＤモードのサブフレーム｛０，１，５，６｝は、ＭＢＳＦＮのために設定されない。別の例において、Ｈ−ＡＲＱ動作は、ＭＢＳＦＮ周期と調和しない。例えば、ダウンリンクでは、Ｈ−ＡＲＱは、非同期であり、アップリンクでは、Ｈ−ＡＲＱは、同期しており、往復時間（ＲＴＴ）は、ＦＤＤモードの場合、８ミリ秒であり、ＴＤＤモードの場合、１０ミリ秒またはそれ以上である。別の例では、固定されたＡＣＫ／ＮＡＣＫタイミングは、ＦＤＤモードの場合４ミリ秒であり、ＴＤＤモードの場合、４ミリ秒またはそれ以上である。
【００７３】
１つの態様では、ダウンリンクＨ−ＡＲＱの場合、再送信タイミングは、非同期動作によって解決されうる。Ｈ−ＡＲＱ処理識別子が、ＤＣＩに組み込まれ、既存のＵＥ手順で十分でありうる。別の態様では、アクセス・ノード・タイミングが含まれる。例えば、８ミリ秒の最小Ｈ−ＡＲＱ  ＲＴＴが、サポートされうる。別の例では、１つのアップリンクＡＣＫ／ＮＡＣＫに関し、複数のダウンリンク送信との非対称動作が潜在的に生じうる。
【００７４】
別の態様では、アップリンクＨ−ＡＲＱの場合、再送信タイミングとアクセス・ノード・タイミングとが組み込まれる。例えば、８ミリ秒の最小Ｈ−ＡＲＱ  ＲＴＴがサポートされうる。１つのＰＨＩＣＨインスタンスに関し、複数のアップリンク送信との非対称動作が潜在的に生じうる。
【００７５】
１つの態様では、中継バックホールのみで、アクセス・リンクのみで、または、これら両リンクの組み合わせにおいて、タイミング再設定が生じうる。一例では、このタイミング再設定は、中継バックホールに局在化されうる。例えば、アクセス・リンク上のＥ−ＵＴＲＡ  Ｒｅｌ−８  ＵＥに対するインパクトは、Ｅ−ＵＴＲＡ  Ｒｅｌ−１０  ＵＥあるいはその後のＵＥについても同様に最小化されうる。
【００７６】
別の態様では、ダウンリンク・バックホール・サブフレームは、準静的に設定され、アップリンク・バックホール・サブフレームは、準静的に設定されうるか、ダウンリンク設定から暗黙的に導出されうる。一例において、フレキシブルで、対称で、良好な負荷適合を有するこの設定は、明示的でありうる。別の例において、対称的なダウンリンク／アップリンク負荷に主に適応可能なこの設定は、暗黙的でありうる。１つの態様では、明示的なダウンリンクおよびアップリンクのバックホール・サブフレーム設定が使用される。
【００７７】
別の態様では、バックホール・リンクのために少なくとも１つのアップリンク・サブフレームが設定されるので、いくつかまたはすべてのアップリンクＨ−ＡＲＱ処理識別子が、より長いＨ−ＡＲＴ  ＲＴＴの観点からインパクトを受けるだろう。一例において、いくつかのアップリンク・サブフレーム（例えば、バックホール・サブフレーム）は、中継ＵＥ（ＲＵＥ）がＰＵＳＣＨを送信するために利用可能ではないかもしれない。１つの態様では、すべてのＨ−ＡＲＱ処理ＩＤに対するインパクトが等値化され、より簡単なスケジューラ実施が可能となる。すなわち、ｅノードＢは、Ｈ−ＡＲＱ  ＩＤを取得するために、異なるアップリンク・トラフィックのタイプを区別しない。一例では、ダウンリンク中継フル・バッファ結果は、パフォーマンス最適化が、バックホールに制限されていることを示す。すなわち、セル毎に４つのリレーを持つ場合であっても、バックホールに割り当てられるために、リソースのうちのかなりの部分が使用される。同様の結果は、アップリンクについても同様に期待される。
【００７８】
一例では、設計上のインパクトが２５％以内である場合、等値化が使用されるか、そうでない場合には、局在化が使用されうる。８ミリ秒または１０ミリ秒ベースのＲＴＴのインパクトは、スケジューラの複雑さに基づくが、異なるとは期待されてない。別の例では、フレキシブル／非対称なダウンリンク／アップリンク・サブフレームが設定されている場合、最適なＨ−ＡＲＱ  ＲＴＴを定義することが困難になりうる。ここでは、最適化は、アップリンク動作、アップリンク・アクセス・ノード負荷平準、ＰＨＩＣＨ負荷平準等のインパクトによって決定される。一例では、インパクトが局在化された１つのＨ−ＡＲＱ  ＲＴＴのみが使用される。
【００７９】
別の態様では、同じＨ−ＡＲＴ  ＲＴＴ設計思想が、ＦＤＤモードとＴＤＤモードとの両方に適用可能でありうる。別の態様では、チャネル品質インジケータ（ＣＱＩ）、ランク・インジケータ（ＲＩ）、およびプリコーディング行列インジケータ（ＰＭＩ）に対する設計インパクトが評価される。例えば、ＣＱＩ／ＰＭＩ周期は、ＦＤＤモードの場合、２／５／１０／２０／４０／８０／１６０／３２／６４／１２８ミリ秒であり、ＴＤＤモードの場合、１／５／１０／２０／４０／８０／１６０ミリ秒でありうる。例えば、ＲＩ周期は、ＣＱＩ／ＰＭＩの１，２，４，８，１６，または３２倍でありうる。そして、オフセットは、０から（−Ｎｐ−１）または（−Ｎｐ）の範囲におよぶ。例えば、スケジューリング要求（ＳＲ）周期は、５／１０／２０／４０／８０ミリ秒でありうる。例えば、サウンディング基準信号（ＳＲＳ）周期は、２／５／１０／２０／４０／８０／１６０／３２０ミリ秒でありうる。
【００８０】
別の態様では、ＰＵＳＣＨホッピングにおける設計インパクトが考慮される。例えば、ＦＤＤモードについて、１０ミリ秒ベースのホッピング設計が、ＴＤＤモードについて、４０ミリ秒ベースのホッピング設計が適用可能である。一例において、１０ミリ秒のＨ−ＡＲＱ  ＲＴＴは、ＦＤＤモードについてＰＵＳＣＨホッピングが無いことを示唆する。さらに、新たなＲ−ＰＤＣＣＨは存在せず、バックホールにおけるアップリンクＨ−ＡＲＱがまだ同期化されている。
【００８１】
一例では、明示的なアップリンク・バックホール・サブフレーム設定が使用されうる。例えば、非対称のダウンリンク／アップリンク設定が、サポートされる。各リンクについて、一貫性のあるバックホールと、アクセス・リンク・サブフレーム設定周期が存在しうる。すなわち、バックホール・リンクのサブフレームおよびアクセス・リンクのサブフレームは、自然に互いを補完する。例えば、ダウンリンク設定は、１０ミリ秒または４０ミリ秒の何れか一方でありうる。例えば、アップリンク設定は、ダウンリンク依存でありうる。一例において、ダウンリンクが４０ミリ秒に基づく場合、アップリンクは８ミリ秒に基づきうる。別の例において、ダウンリンクが１０ミリ秒に基づく場合、アップリンクが、１０ミリ秒のマルチ・モード設定に基づきうる。これは使用されないかもしれない。別の態様では、１つは、バックホール・リンクとアクセス・リンクとの両方のために、可能な限り多くの、８ミリ秒のＨ−ＡＲＱ  ＲＴＴを保証しうる。例えば、フレームｎが、バックホール（またはアクセス・リンク）として設定されている場合、ｎ＋８ｋが、バックホール（またはアクセス・リンク）を用いて設定される。一例において、これは、Ｈ−ＡＲＱ処理ＩＤに対するインパクトを局在化する。別の態様では、４０ミリ秒ベースの設定もまた使用されうる。
【００８２】
別の態様では、いくつかのオプションを用いて、バックホールＨ−ＡＲＱタイムラインが、ダウンリンクとアップリンクの両方のためのＥ−ＵＴＲＡ  Ｒｅｌ−８タイムラインに基づきうる。第１のオプションでは、バックホールＲＴＴタイミングが、（ＲＮ毎ベースでは過剰となるであろうから、）ドナーｅノードＢ毎ベースで、レイヤ３（準静的）設定で明示的に示されうる。第２のオプションでは、例えば、タイミングを示すために３ビットで、バックホールＲＴＴタイミングが、（Ｒ−ＰＤＣＣＨにおける）レイヤ２で明示的に示されうる。第３のオプションでは、バックホールＲＴＴタイミングが、例えばＲ−ＰＤＳＣＨとアップリンク・アクセス・ノードとの間、Ｒ−ＰＤＣＣＨとＲ−ＰＵＳＣＨとの間、Ｒ−ＰＵＳＣＨとＲ−ＰＤＣＣＨ／ＰＨＩＣＨとの間のタイミング関係を定義する特定かつ明白なルールとして仕様中に示されうる。１つの態様では、このルールは、以下のように表現されうる。ダウンリンクの場合、４ミリ秒において、または４ミリ秒後、Ｒ−ＰＤＳＣＨとアップリンク・アクセス・ノードとの間で、最初の利用可能なアップリンク・サブフレームを使用する。アップリンクの場合、４ミリ秒において、または４ミリ秒後、Ｒ−ＰＤＣＣＨとＲ−ＰＵＳＣＨとの間で、最初に利用可能なアップリンク・サブフレームを使用し、４ミリ秒において、または４ミリ秒後、Ｒ−ＰＵＳＣＨとＲ−ＰＤＣＣＨ／ＰＨＩＣＨとの間で、最初に利用可能なダウンリンク・サブフレームを使用する。別の例では、例えば４＋ｃｋ、ｃ＝８のようなその他のルールが可能である。
【００８３】
別の態様では、アクセス・リンクＨ−ＡＲＱタイムラインは、Ｅ−ＵＴＲＡ  Ｒｅｌ−８に基づきうる。ここでは、ミスマッチした設定を取り扱う。ダウンリンク・アップリンク／バックホール設定は、１つのアップリンク・アクセス・リンク・サブフレーム（ｎ＋４）に関連付けられた少なくとも１つのダウンリンク・アクセス・リンク・サブフレーム（ｎ）が存在し、インパクトを受けていない少なくとも１つのアップリンクＨ−ＡＲＴ処理ＩＤが存在するようでありうる。これは、すべての（（ｍ＋８ｋ）個の）サブフレームがアップリンク・アクセス・リンク・サブフレームであるように、少なくとも１つのアップリンク・アクセス・リンク・サブフレームｍが存在することを示唆する。別の態様では、ダウンリンク／アップリンク・バックホール設定は、Ｅ−ＵＴＲＡ  Ｒｅｌ−８  ＵＥが可能な限り多くの利益を得ることができるように、かつ、Ｅ−ＵＴＲＡ  Ｒｅ１−１０またはそれ以降のＵＥのために最小の変更が期待されるように、負荷を考慮しながら、可能な限り多くのダウンリンク／アップリンク・ペアリングを満足しうる。別の態様では、ペアではないダウンリンク／アップリンク・アクセス・リンク・サブフレームの場合、Ｅ−ＵＴＲＡ  Ｒｅ１−１０またはそれ以降のＵＥが、ダウンリンク・スケジューリングおよびアップリンク・アクセス・ノード・フィードバックのために、ＴＤＤのようなルールを利用しうる。あるいは、Ｅ−ＵＴＲＡ  Ｒｅ１−１０またはそれ以降の変更がまったくない場合、ユーザが、ペアではないことによるいくつかのロスに適応するか、あるいは、非対称な設定が許可されない。
【００８４】
別の態様では、バックホール・リンクおよびアクセス・リンクにおいて、非対称の設定が適合されうる。例えば、ダウンリンク対アップリンクの間に、Ｎ対１のマッピングが存在しうる。ここで、Ｎは、最大６である。一例では、複数のダウンリンクＰＤＳＣＨが、１つのアップリンク・サブフレームにおいて、複数のアクセス・ノード・フィードバックを必要としうる。別の例では、この問題に対処するために、ＴＤＤのようなアップリンク・アクセス・ノード・バンドリングが使用されうる。例えば、４：１までの比について、バンドリングと多重化との両方がサポートされ、そうではない場合、バンドリングのみがサポートされる。別の例において、レイヤ３またはレイヤ２のＨ−ＡＲＱ設定が、異なるアップリンク・バックホール・サブフレームにおけるアクセス・ノード負荷を平準化するために使用されうる。これは、さらなる複雑さを許容しないかもしれない。別の例では、ダウンリンク対アップリンクの間で、１対Ｍのマッピングが存在しうる。一例において、複数のアップリンクＰＵＳＣＨは、１つのダウンリンク・サブフレームにおいてＰＨＩＣＨ／ＰＤＣＣＨを同時に必要としうる。別の例では、この問題に対処するために、ＴＤＤのようなアップリンク・アクセス・ノード・バンドリングもまた使用されうる。例えば、１つのＰＤＣＣＨは、同じリソース割当、ＭＣＳ等を用いて複数のＰＵＳＣＨ送信をスケジュールしうる。さらに、例えば、最初の２つのアップリンク・サブフレームに限定される、最大２つのＰＵＳＣＨが使用されうる。別の例では、いくつかのアップリンク送信を見合わせるために、ＰＨＩＣＨが使用されうる。
【００８５】
別の態様では、バックホールにおける非同期／同期アップリンクＨ−ＡＲＱが達成されうる。一例では、非同期動作のために、Ｒ−ＰＤＣＣＨとＲ−ＰＵＳＣＨとの間のタイミングのみを定義する。別の例では、同期動作のために、Ｒ−ＰＵＳＣＨ遅延を備えたＲ−ＰＤＣＣＨと、Ｒ−ＰＤＣＣＨ／Ｒ−ＰＨＩＣＨ遅延を備えたＲ−ＰＵＳＣＨとの明示的な組み合わせのみを定義する。一例では、バックホール・リンクにおけるフレキシブルなアップリンク送信のために、非同期Ｈ−ＡＲＱ動作が使用されうる。この場合、Ｒ−ＰＵＳＣＨとＲ−ＰＤＣＣＨとの時間関係を定義する必要はない。
【００８６】
別の態様では、オーバヘッド効率を犠牲にして、Ｒ−ＰＨＩＣＨが、Ｒ−ＰＤＣＣＨと交換されうる。一例では、このような効率喪失は、重要であるとは考えられず、Ｒ−ＰＨＩＣＨをサポートしないように使用されうる。アップリンク・バックホールにおける同期Ｈ−ＡＲＱ動作の場合、中継ノードは、Ｒ−ＰＤＣＣＨを失うと、ＡＣＫとして取り扱い、Ｒ−ＰＵＳＣＨ送信を見合わせる。
【００８７】
別の態様では、ＣＱＩに対するインパクトが評価されうる。一例では、効率的なＣＱＩ／ＲＩ周期は、ＣＱＩ／ＲＩおよびアクセス・リンク・アップリンク設定に依存して、非常に大きくなりうる。例えば、８ミリ秒ベースの周期の場合、非ゼロのＲＩサブフレーム・オフセットを仮定すると、調和するＣＱＩ周期は、２−３のアップリンクＨ−ＡＲＱ処理の場合、４０／８０／１６０／３２／６４／１２８ミリ秒であり、ここで、３２ミリ秒のＣＱＩは、意図されていないＣＱＩ送信無しで達成されうる。また、４−７のアップリンクＨ−ＡＲＱ処理の場合、２０ミリ秒であり、ここで、２０ミリ秒のＣＱＩは、意図されていないＣＱＩ送信無しで達成され、２／５／１０ミリ秒は調和せず、意図されていないＣＱＩ／ＲＩ送信の大部分が可能である。例えば、１０ミリ秒ベースの周期の場合、調和するＣＱＩ周期は、２−３のアップリンクＨ−ＡＲＱ処理の場合、１０／２０／４０／８０／１６０ミリ秒であり、ここで、３２ミリ秒のＣＱＩは、意図されていないＣＱＩ送信無しで達成され、４のアップリンクＨ−ＡＲＱ処理の場合、５ミリ秒であり、ここで、２０ミリ秒のＣＱＩは、意図されていないＣＱＩ送信無しで達成され、５−７のアップリンクＨ−ＡＲＱ処理の場合、ゼロＲＩオフセットを仮定する。
【００８８】
別の態様では、ＣＱＩレイテンシと、意図されていない送信とを緩和するための解決策が開示される。例えば、第１の解決策は、８ミリ秒の倍数でもあり、１０ミリ秒の倍数でもある、例えば４０ミリ秒ベースでアップリンク・アクセス・リンクを設定することである。一例では、｛０，８，１０，１６，２０，２４，３０，３２｝の周期が、１つのアップリンクＨ−ＡＲＱ処理のためにさらに、３つに位置する。１つの態様では、パフォーマンス・ヒットは、バックホールにおける３のＨ−ＡＲＱ処理の場合、２０％であるが、バックホールには、７のＨ−ＡＲＱ処理が存在する。別の例では、｛０，４，８，１０，１２，１６，２０，２４，２８，３０，３２，３６｝の周期が、２のアップリンクＨ−ＡＲＱ処理のためにさらに、２つに位置する。１つの態様では、パフォーマンス・ヒットは、バックホールにおける２のＨ−ＡＲＱ処理の場合、２０％であるが、バックホールには、６のＨ−ＡＲＱ処理が存在する。別の態様では、ｅノードＢ／ＲＮ制御の下で解決策が実行され、４０ミリ秒ベースのビットマップで実現されうる。別の態様では、例えば、周期、オフセット等のようなＣＱＩ／ＲＩ設定と揃えることは、オプションである。
【００８９】
例えば、別の解決策は、Ｅ−ＵＴＲＡ  Ｒｅｌ−１０またはその後のＵＥまたはバックホールに向けられている。一例では、＜８ミリ秒または１０ミリ秒の周期の場合、いくつかのＴＤＤ設計概念が適用されうる。例えば、１ミリ秒の周期は、利用可能なすべてのアップリンク・サブフレームが、バックホール・リンクおよび／またはアクセス・リンクのために使用されうることを意味する。例えば、８ミリ秒および１６ミリ秒の周期が、ＣＱＩ周期として導入されうる。例えば、アップリンク・サブフレーム設定のＥ−ＵＴＲＡ  Ｒｅｌ−１０またはその後のＵＥの知見が、意図されていない送信を回避することに役立ちうる。
【００９０】
別の態様では、ＳＲＳへのインパクトは、タイミング設計に依存する。例えば、ＲＮアップリンク送信−受信切換が、最後のシンボルの前に生じた場合、ＳＲＳインパクトは無い。そうではない場合、ＣＱＩに関し、同様のインパクト／設計が存在しうる。別の態様では、ＳＲへのインパクトは、ＣＱＩに関するインパクト／設計に類似している。
【００９１】
別の態様では、ＴＤＤモードは、５ミリ秒切換または１０ミリ秒切換のうちの何れかを適用しうる。一例において、設定は、可能な３つの中継タイムラインを備えた中継動作をサポートし、１０ミリ秒ベースのアップリンク設定を使用しうる。一例では、バックホールもまた同様に後方互換性がある。例えば、１０ミリ秒未満のＣＱＩ／ＳＲ／ＳＲＳ周期を用いる設定は、意図しない送信を引き起こしうる。例えば、バックホール・サブフレーム設定の知見は、Ｅ−ＵＴＲＡ  Ｒｅｌ−１０あるいはその後のＵＥが、このような意図されていない送信を回避するために役立つ。２つの特別なサブフレームの両方が、アクセス・リンクに割り当てられるので、バックホールには、指定されたサブフレームは存在しない。
【００９２】
別の態様では、その他のＴＤＤモード設定に関し、すべてのサブフレームが後方互換性を持っている訳ではない。一例では、タイプ１中継サポートのためにより多くの設定を適合させるために、１０ミリ秒から４０ミリ秒まで周期を延長することが開示される。
【００９３】
１つの態様では、明示的なアップリンク・バックホール・サブフレーム設定をサポートする改善されたタイミング設計が、中継ノードを備えた無線システムで適用されうる。例えば、非対称のダウンリンクおよびアップリンク設定がサポートされうる。非対称を取り扱うために、例えば、１つのアップリンクを伴う複数のダウンリンク、または、複数のアップリンクを伴う１つのダウンリンクが、ＴＤＤのようなアップリンク・アクセス・ノード・バンドリング、ＴＤＤ設定＃０のためのＰＤＣＣＨ  ＤＣＩフォーマット０のようなスケジューリング（例えば、１つのダウンリンクは、最大２またはそれ以上のアップリンクをスケジュールする）を使用する。ここでは、（Ｒ）ＰＨＩＣＨ過負荷もＰＵＣＣＨと同様に設計されうるが、Ｒ−ＰＨＩＣＨはサポートされないことがある。例えば、ＦＤＤモードでは、リレー毎ベースに４０ビット・マップを用いて、ダウンリンク・バックホールとアップリンク・バックホールとの両方の４０ミリ秒設定がサポートされうる。あるいは、オーバヘッドおよびフレキシビリティに関して、８ミリ秒（すなわち、８ビット）ベースの設定が使用されうる。例えば、ＴＤＤモードでは、ダウンリンク・バックホールとアップリンク・バックホールとの両方の１０ミリ秒設定がサポートされうる。あるいは、いくつかのＴＤＤ設定のための中継をサポートすることを可能にするために、４０ミリ秒設定もまた使用されうる。
【００９４】
別の態様では、決定論的なＨ−ＡＲＱタイミング関係が使用されうる。例えば、ダウンリンクとアップリンクのバックホール・サブフレームのセットが設定されると、Ｈ−ＡＲＱタイミングは決定論的である。別の態様では、バックホールにおける非同期アップリンクＨ−ＡＲＱ動作がサポートされる。別の態様では、Ｒ−ＰＨＩＣＨがない場合、失われたＲ−ＰＤＣＣＨがＡＣＫとして取り扱われ、Ｒ−ＰＨＩＣＨがサポートされない。
【００９５】
別の態様では、ｅノードＢが、３ビット・シグナリングによって、ダウンリンク／アップリンク過負荷を平準化しうる。例えば、ダウンリンクでは、複数のＰＨＩＣＨ／ＰＵＣＨマッピングの発生を回避し、アップリンクでは、複数のアクセス・ノード・マッピングの発生を回避する。別の態様では、同じ設計思想が、ＴＤＤモードに当てはまる。例えば、遅延および負荷を調節するために、インジケータが使用されうる。アクセス・ノード過負荷（すなわち、１つのアップリンクに対する複数のダウンリンク）が、中継バックホールにおいて不適当であるとみなされる場合、この状況は、明示的な３ビット・シグナリングによって解決されうる。
【００９６】
図９は、無線通信システムにおける中継動作のためのフロー図の例を例示する。ブロック９１０では、ｅノードＢ（ｅＮＢ）から中継ノードへのダウンリンク通信のための第１のサブフレームのセットを決定する。ブロック９２０では、中継ノードからｅＮＢへのアップリンク通信のための第２のサブフレームのセットを決定する。一例において、第１のサブフレームのセットと、第２のサブフレームのセットとは、異なる量のサブフレームを含んでいる。ブロック９３０では、第１の最小遅延と第１のサブフレームのセットと第２のサブフレームのセットとに基づいて、第１の制御送信とＨＡＲＱアクノレッジ（ＡＣＫ）メッセージとの間のダウンリンク（ＤＬ）ハイブリッド自動反復要求（ＨＡＲＱ）タイミングを決定する。ブロック９４０では、第２の最小遅延と第１のサブフレームのセットと第２のサブフレームのセットとに基づいて、第２の制御送信とアップリンク送信との間のアップリンク（ＵＬ）ハイブリッド自動反復要求（ＨＡＲＱ）タイミングを決定する。一例において、第１の最小遅延は４ミリ秒である。一例において、第２の最小遅延は４ミリ秒である。一例において、第２のサブフレームのセットは、第１のサブフレームのセットと、第１の最小遅延または第２の最小遅延のうちの少なくとも１つとに基づく。
【００９７】
ブロック９４０に続いて、ブロック９５０では、ＤＬ  ＨＡＲＱタイミングに基づいて、第１のサブフレームのセットからの少なくとも２つのサブフレームを、第２のサブフレームのセットからのサブフレームへマップする。そして、ブロック９５５では、ＡＣＫ／ＮＡＫバンドリング・モードと、ＡＣＫ／ＮＡＫ多重化モードとのうちの少なくとも１つにおいて動作するように中継ノードを設定する。一例では、ブロック９５０およびブロック９５５におけるステップのうちの１または複数はオプションである。
【００９８】
別の態様では、ブロック９４０の後、ブロック９６０において、ＵＬ  ＨＡＲＱタイミングに基づいて、第２のサブフレームのセットからの少なくとも２つのサブフレームを、第１のサブフレームのセットからのサブフレームへマップする。一例において、ＵＬ  ＨＡＲＱタイミングは、非同期的である。一例において、ＵＬ  ＨＡＲＱタイミングは、周波数分割デュプレクス（ＦＤＤ）について、８ミリ秒の設定周期を有しているか、または、時分割デュプレクス（ＴＤＤ）について、１０ミリ秒の設定周期を有している。一例において、ＤＬ  ＨＡＲＱタイミングは、周波数分割デュプレクス（ＦＤＤ）について、４０ミリ秒の設定周期を有しているか、または、時分割デュプレクス（ＴＤＤ）について、１０ミリ秒の設定周期を有している。一例において、ＵＬ  ＨＡＲＱタイミングまたはＤＬ  ＨＡＲＱタイミングのうちの少なくとも１つは、イボルブド・ユニバーサル地上ラジオ・アクセス（Ｅ−ＵＴＲＡ）リリース８規格におけるＨＡＲＱタイミングと同じである。
【００９９】
ブロック９６０に続いて、ブロック９６５では、第１のサブフレームのセットからのサブフレームにおいて第２の制御送信を使用し、第２のサブフレームのセットからの少なくとも２つのサブフレームのために、アップリンク送信をスケジュールする。一例において、ブロック９６０およびブロック９６５のステップのうちの１または複数はオプションである。
【０１００】
ブロック９５５またはブロック９６５の何れかに続いて、ブロック９７０では、第２のサブフレームのセットに含まれない周期的なチャネル品質インジケータ（ＣＱＩ）メッセージのためのアップリンク送信を禁止し、第２のサブフレームのセットに含まれないスケジューリング要求（ＳＲ）メッセージのためのアップリンク送信を禁止し、および／または、第２のサブフレームのセットに含まれないサウンディング基準信号（ＳＲＳ）のためのアップリンク送信を禁止する。一例では、周期的なチャネル品質インジケータ（ＣＱＩ）メッセージが、周期的なチャネル状態情報（ＣＳＩ）メッセージと交換される。そして、第２のサブフレームのセットに含まれない周期的なＣＳＩメッセージのアップリンク送信が禁止される。一例において、ブロック９７０では、第２のサブフレームのセットにおけるアップリンク・データ送信に応答して、第１のサブフレームのセットにおけるＨ−ＡＲＱチャネル送信が禁止される。Ｈ−ＡＲＱチャネル送信を禁止することは、オプションとして、ブロック９７０における禁止ステップのうちの１または複数を用いて、あるいは用いずに、実施されうる。一例において、ブロック９７０では、アップリンクＨ−ＡＲＱが同期的であり、アップリンク（ＵＬ）許可が予め定義された期間内に受信されないのであれば、アップリンク・パケットの再送信が見合わされる。アップリンク・パケットの再送信を見合わせることは、オプションとして、ブロック９７０における禁止ステップのうちの１または複数を用いて、あるいは用いずに、実施されうる。当業者であれば、予め定義された期間は、特定の期間に限定されず、本開示のスコープまたは精神を限定することなく、例えば、アプリケーション、用途、設計選択等を含む多くの要因に基づいて選択されうることを理解するであろう。１つの態様では、図９に例示されるステップのうちの１または複数は、ｅノードＢ（ｅＮＢ）によって実行される。別の態様では、図９に例示されるステップのうちの１または複数は、中継ノード（ＲＮ）によって実行される。
【０１０１】
図１０は、無線通信システムにおける中継動作のための処理を実行するために、メモリ１０２０と通信しているプロセッサ１０１０を備えるデバイス１０００の例を例示する。一例において、デバイス１０００は、図５、６、９に例示されたアルゴリズムを実施するために使用される。１つの態様では、メモリ１０２０は、プロセッサ１０１０内に位置する。別の態様では、メモリ１０２０はプロセッサ１０１０外に存在する。１つの態様では、プロセッサは、本明細書に記載されたさまざまなフロー図、論理ブロック、および／または、モジュールを実装または実現する回路を含む。
【０１０２】
図１１は、無線通信システムにおける中継動作のために適切なデバイス１１００の例を例示する。１つの態様では、デバイス１１００は、ブロック１１１０、１１２０、１１３０、１１４０、１１５０、１１５５、１１６０、１１６５、１１７０において説明されるような中継動作の別の態様を提供するように構成された１または複数のモジュールを備える少なくとも１つのプロセッサによって実現される。一例において、ブロック１１７０には、第２のサブフレームのセットにおけるアップリンク・データ送信に応答して、第１のサブフレームのセットにおけるＨ−ＡＲＱチャネル送信を禁止する手段が含まれる。禁止する手段は、オプションとして、ブロック１１７０における禁止する手段によって実行されるべき禁止機能のうちの１または複数を用いてイネーブルされうる。一例において、ブロック１１７０には、アップリンクＨ−ＡＲＱが同期的であり、アップリンク（ＵＬ）許可が予め定義された期間内に受信されない場合、アップリンク・パケットの再送信を見合わせる手段が含まれる。アップリンク・パケットの再送信を見合わせることは、オプションとして、ブロック１１７０における禁止する手段によって実行されるべき禁止機能のうちの１または複数を用いて、あるいは用いることなく実施されうる。当業者であれば、予め定義された期間は、特定の期間に限定されず、本開示のスコープまたは精神を限定することなく、例えば、アプリケーション、用途、設計選択等を含む多くの要因に基づいて選択されうることを理解するであろう。
【０１０３】
例えば、おのおののモジュールは、ハードウェア、ファームウェア、ソフトウェア、あるいはこれらの任意の組み合わせを含む。１つの態様では、デバイス１１００は、少なくとも１つのプロセッサと通信する少なくとも１つのメモリによって実現される。一例において、中継動作を形成するために、図１１に例示されたすべてのブロックが組み合されうる。別の例では、中継動作を形成するために、図１１に例示されたブロックのうちのいくつがが選択されうる。例えば、中継動作は、他のブロック無しで、ブロック１１２０、１１３０、１１４０、１１７０から構成されうる。別の例では、図１１に例示されたブロックは限定的ではない。
【０１０４】
当業者であれば、図５、６、９におけるフロー図の例で開示されるステップは、本開示の範囲および精神から逸脱することなく、他の順序に相互交換されうることを理解するであろう。さらに、当業者であれば、このフロー図内で例示されているステップは限定的ではなく、その他のステップも含まれうるか、あるいは、このフロー図の例におけるステップのうちの１または複数が、本開示の範囲および精神に悪影響を与えることなく削除されうることを理解するであろう。
【０１０５】
当業者であればさらに、本明細書で開示された例に関連して記載されたさまざまな例示的な構成要素、論理ブロック、モジュール、回路、および／または、アルゴリズム・ステップが、電子工学ハードウェア、ファームウェア、コンピュータ・ソフトウェア、あるいはこれらの組み合わせによって実現されることを理解するであろう。ハードウェア、ファームウェア、およびソフトウェアの相互置換性を明確に例示するために、例示的なさまざまな構成要素、ブロック、モジュール、回路、および／または、アルゴリズム・ステップが、それらの機能の観点から一般的に記述された。それら機能がハードウェア、ファームウェア、またはソフトウェアとして実現されるかは、特定のアプリケーションおよびシステム全体に課せられている設計制約に依存する。当業者であれば、特定のアプリケーションのおのおのに応じて変化する方式で、上述した機能を実現することができる。しかしながら、この適用判断は、本発明の範囲または精神からの逸脱をもたらすものと解釈されるべきではない。
【０１０６】
例えば、ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラマブル論理回路（ＰＬＤ）、フィールド・プログラマブル・ゲート・アレイ（ＦＰＧＡ）、プロセッサ、コントローラ、マイクロ・コントローラ、マイクロプロセッサ、本明細書に記載の機能を実行するために設計されたその他の電子ユニット、あるいはこれらの組み合わせ内に実装されうる。ソフトウェアを用いて、本明細書に記載された機能を実行するモジュール（例えば、手順、機能等）によって実現される。ソフトウェア・コードは、メモリ・ユニット内に格納され、プロセッサによって実行されうる。さらに、本明細書で記載された例示的なさまざまなフロー図、論理ブロック、モジュール、および／または、アルゴリズム・ステップはまた、当該技術で周知の任意のコンピュータ読取可能な媒体で伝送されるコンピュータ読取可能な命令群としてコード化されるか、あるいは、当該技術で周知の任意のコンピュータ・プログラム製品で実現されうる。
【０１０７】
１または複数の例では、ここで説明されたステップまたは機能が、ハードウェア、ソフトウェア、ファームウェア、またはこれらの任意の組み合わせで実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされうる利用可能な任意の媒体である。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能な媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。上記の組み合わせもまた、コンピュータ読取可能な媒体の範囲内に含まれうる。
【０１０８】
開示された態様の上記説明は、いかなる当業者であっても、本開示を製造または使用できるように適用される。これらの態様へのさまざまな変形は、当業者に容易に明らかであって、本明細書で定義された一般原理は、本開示の精神または範囲から逸脱することなく、他の態様に適用されうる。
以下に、本願出願の当初の特許請求の範囲に記載された発明を付記する。
［Ｃ１］
無線通信システムにおける中継動作のための方法であって、
ｅノードＢ（ｅＮＢ）から中継ノードへのダウンリンク通信のための第１のサブフレームのセットを決定することと、
前記中継ノードから前記ｅＮＢへのアップリンク通信のための第２のサブフレームのセットを決定することと、
第１の最小遅延と前記第１のサブフレームのセットと前記第２のサブフレームのセットとに基づいて、第１の制御送信とハイブリッド自動反復要求（ＨＡＲＱ）アクノレッジ（ＡＣＫ）メッセージとの間のダウンリンク（ＤＬ）ＨＡＲＱタイミングを決定することと、
第２の最小遅延と前記第１のサブフレームのセットと前記第２のサブフレームのセットとに基づいて、第２の制御送信とアップリンク送信との間のアップリンク（ＵＬ）ＨＡＲＱタイミングを決定することと、
を備える方法。
［Ｃ２］
前記第１の最小遅延は４ミリ秒である、請求項１に記載の方法。
［Ｃ３］
前記第２の最小遅延は４ミリ秒である、請求項１に記載の方法。
［Ｃ４］
前記第２のサブフレームのセットは、前記第１のサブフレームのセットと、前記第１の最小遅延または前記第２の最小遅延のうちの少なくとも１つとに基づく、請求項１に記載の方法。
［Ｃ５］
前記第１のサブフレームのセットと、前記第２のサブフレームのセットとは、異なる量のサブフレームを含む、請求項１に記載の方法。
［Ｃ６］
前記ＤＬ  ＨＡＲＱタイミングに基づいて、前記第１のサブフレームのセットからの少なくとも２つのサブフレームを、前記第２のサブフレームのセットからのサブフレームへマップすること、をさらに備える請求項５に記載の方法。
［Ｃ７］
ＡＣＫ／ＮＡＫバンドリング・モードと、ＡＣＫ／ＮＡＫ多重化モードとのうちの少なくとも１つにおいて動作するように前記中継ノードを設定すること、をさらに備える請求項６に記載の方法。
［Ｃ８］
前記ＵＬ  ＨＡＲＱタイミングに基づいて、前記第２のサブフレームのセットからの少なくとも２つのサブフレームを、前記第１のサブフレームのセットからのサブフレームへマップすること、をさらに備える請求項５に記載の方法。
［Ｃ９］
前記第１のサブフレームのセットからのサブフレームにおいて前記第２の制御送信を使用し、前記第２のサブフレームのセットからの少なくとも２つのサブフレームのために、前記アップリンク送信をスケジュールすること、をさらに備える請求項８に記載の方法。
［Ｃ１０］
前記ＵＬ  ＨＡＲＱタイミングは、非同期的である、請求項５に記載の方法。
［Ｃ１１］
前記ＵＬ  ＨＡＲＱタイミングは、周波数分割デュプレクス（ＦＤＤ）について、８ミリ秒の設定周期を有しているか、または、時分割デュプレクス（ＴＤＤ）について、１０ミリ秒の設定周期を有している、請求項１に記載の方法。
［Ｃ１２］
前記ＤＬ  ＨＡＲＱタイミングは、周波数分割デュプレクス（ＦＤＤ）について、４０ミリ秒の設定周期を有しているか、または、時分割デュプレクス（ＴＤＤ）について、１０ミリ秒の設定周期を有している、請求項１に記載の方法。
［Ｃ１３］
前記ＵＬ  ＨＡＲＱタイミングまたは前記ＤＬ  ＨＡＲＱタイミングのうちの少なくとも１つは、イボルブド・ユニバーサル地上ラジオ・アクセス（Ｅ−ＵＴＲＡ）リリース８規格におけるＨＡＲＱタイミングと同じである、請求項１に記載の方法。
［Ｃ１４］
前記第２のサブフレームのセットに含まれない周期的なチャネル品質情報（ＣＱＩ）メッセージのためのアップリンク送信を禁止すること、をさらに備える請求項１に記載の方法。
［Ｃ１５］
前記第２のサブフレームのセットに含まれないスケジューリング要求（ＳＲ）メッセージのためのアップリンク送信を禁止すること、をさらに備える請求項１に記載の方法。
［Ｃ１６］
前記第２のサブフレームのセットに含まれないサウンディング基準信号（ＳＲＳ）のためのアップリンク送信を禁止すること、をさらに備える請求項１に記載の方法。
［Ｃ１７］
前記第２のサブフレームのセットにおけるアップリンク・データ送信に応答して、前記第１のサブフレームのセットにおけるＨ−ＡＲＱチャネル送信を禁止すること、をさらに備える請求項１に記載の方法。
［Ｃ１８］
アップリンクＨ−ＡＲＱが同期的であり、アップリンク（ＵＬ）許可が予め定義された期間内に受信されない場合、アップリンク・パケットの再送信を見合わせること、をさらに備える請求項１７に記載の方法。
［Ｃ１９］
無線通信システムにおける中継動作のための装置であって、
ｅノードＢ（ｅＮＢ）から中継ノードへのダウンリンク通信のための第１のサブフレームのセットを決定する手段と、
前記中継ノードから前記ｅＮＢへのアップリンク通信のための第２のサブフレームのセットを決定する手段と、
第１の最小遅延と前記第１のサブフレームのセットと前記第２のサブフレームのセットとに基づいて、第１の制御送信とハイブリッド自動反復要求（ＨＡＲＱ）アクノレッジ（ＡＣＫ）メッセージとの間のダウンリンク（ＤＬ）ＨＡＲＱタイミングを決定する手段と、
第２の最小遅延と前記第１のサブフレームのセットと前記第２のサブフレームのセットとに基づいて、第２の制御送信とアップリンク送信との間のアップリンク（ＵＬ）ＨＡＲＱタイミングを決定する手段と、
を備える装置。
［Ｃ２０］
前記第１の最小遅延は４ミリ秒である、請求項１９に記載の装置。
［Ｃ２１］
前記第２の最小遅延は４ミリ秒である、請求項１９に記載の装置。
［Ｃ２２］
前記第２のサブフレームのセットは、前記第１のサブフレームのセットと、前記第１の最小遅延または前記第２の最小遅延のうちの少なくとも１つとに基づく、請求項１９に記載の装置。
［Ｃ２３］
前記第１のサブフレームのセットと、前記第２のサブフレームのセットとは、異なる量のサブフレームを含む、請求項１９に記載の装置。
［Ｃ２４］
前記ＤＬ  ＨＡＲＱタイミングに基づいて、前記第１のサブフレームのセットからの少なくとも２つのサブフレームを、前記第２のサブフレームのセットからのサブフレームへマップする手段、をさらに備える請求項２３に記載の装置。
［Ｃ２５］
ＡＣＫ／ＮＡＫバンドリング・モードと、ＡＣＫ／ＮＡＫ多重化モードとのうちの少なくとも１つにおいて動作するように前記中継ノードを設定する手段、をさらに備える請求項２４に記載の装置。
［Ｃ２６］
前記ＵＬ  ＨＡＲＱタイミングに基づいて、前記第２のサブフレームのセットからの少なくとも２つのサブフレームを、前記第１のサブフレームのセットからのサブフレームへマップする手段、をさらに備える請求項２３に記載の装置。
［Ｃ２７］
前記第１のサブフレームのセットからのサブフレームにおいて前記第２の制御送信を使用し、前記第２のサブフレームのセットからの少なくとも２つのサブフレームのために、前記アップリンク送信をスケジュールする手段、をさらに備える請求項２６に記載の装置。
［Ｃ２８］
前記ＵＬ  ＨＡＲＱタイミングは、非同期的である、請求項２１に記載の装置。
［Ｃ２９］
前記ＵＬ  ＨＡＲＱタイミングは、周波数分割デュプレクス（ＦＤＤ）について、８ミリ秒の設定周期を有しているか、または、時分割デュプレクス（ＴＤＤ）について、１０ミリ秒の設定周期を有している、請求項１９に記載の装置。
［Ｃ３０］
前記ＤＬ  ＨＡＲＱタイミングは、周波数分割デュプレクス（ＦＤＤ）について、４０ミリ秒の設定周期を有しているか、または、時分割デュプレクス（ＴＤＤ）について、１０ミリ秒の設定周期を有している、請求項１９に記載の装置。
［Ｃ３１］
前記ＵＬ  ＨＡＲＱタイミングまたは前記ＤＬ  ＨＡＲＱタイミングのうちの少なくとも１つは、イボルブド・ユニバーサル地上ラジオ・アクセス（Ｅ−ＵＴＲＡ）リリース８規格におけるＨＡＲＱタイミングと同じである、請求項１９に記載の装置。
［Ｃ３２］
前記第２のサブフレームのセットに含まれない周期的なチャネル品質情報（ＣＱＩ）メッセージのためのアップリンク送信を禁止する手段、をさらに備える請求項１９に記載の装置。
［Ｃ３３］
前記第２のサブフレームのセットに含まれないスケジューリング要求（ＳＲ）メッセージのためのアップリンク送信を禁止する手段、をさらに備える請求項１９に記載の装置。
［Ｃ３４］
前記第２のサブフレームのセットに含まれないサウンディング基準信号（ＳＲＳ）のためのアップリンク送信を禁止する手段、をさらに備える請求項１９に記載の装置。
［Ｃ３５］
前記第２のサブフレームのセットにおけるアップリンク・データ送信に応答して、前記第１のサブフレームのセットにおけるＨ−ＡＲＱチャネル送信を禁止する手段、をさらに備える請求項１９に記載の装置。
［Ｃ３６］
アップリンクＨ−ＡＲＱが同期的であり、アップリンク（ＵＬ）許可が予め定義された期間内に受信されない場合、アップリンク・パケットの再送信を見合わせる手段、をさらに備える請求項３５に記載の装置。
［Ｃ３７］
プロセッサとメモリとを備える、無線通信システムにおける中継動作のための装置であって、
ｅノードＢ（ｅＮＢ）から中継ノードへのダウンリンク通信のための第１のサブフレームのセットを決定することと、
前記中継ノードから前記ｅＮＢへのアップリンク通信のための第２のサブフレームのセットを決定することと、
第１の最小遅延と前記第１のサブフレームのセットと前記第２のサブフレームのセットとに基づいて、第１の制御送信とハイブリッド自動反復要求（ＨＡＲＱ）アクノレッジ（ＡＣＫ）メッセージとの間のダウンリンク（ＤＬ）ＨＡＲＱタイミングを決定することと、
第２の最小遅延と前記第１のサブフレームのセットと前記第２のサブフレームのセットとに基づいて、第２の制御送信とアップリンク送信との間のアップリンク（ＵＬ）ＨＡＲＱタイミングを決定することと、
を実行するために前記プロセッサによって実行されることが可能なプログラム・コードを前記メモリが含む、装置。
［Ｃ３８］
前記第２のサブフレームのセットは、前記第１のサブフレームのセットと、前記第１の最小遅延または前記第２の最小遅延のうちの少なくとも１つとに基づく、請求項３７に記載の装置。
［Ｃ３９］
前記メモリはさらに、前記ＤＬ  ＨＡＲＱタイミングに基づいて、前記第１のサブフレームのセットからの少なくとも２つのサブフレームを、前記第２のサブフレームのセットからのサブフレームへマップするためのプログラム・コードを備える、請求項３７に記載の装置。
［Ｃ４０］
前記メモリはさらに、ＡＣＫ／ＮＡＫバンドリング・モードと、ＡＣＫ／ＮＡＫ多重化モードとのうちの少なくとも１つにおいて動作するように前記中継ノードを設定するためのプログラム・コードを備える、請求項３９に記載の装置。
［Ｃ４１］
前記メモリはさらに、前記ＵＬ  ＨＡＲＱタイミングに基づいて、前記第２のサブフレームのセットからの少なくとも２つのサブフレームを、前記第１のサブフレームのセットからのサブフレームへマップするためのプログラム・コードを備える、請求項３７に記載の装置。
［Ｃ４２］
前記メモリはさらに、前記第１のサブフレームのセットからのサブフレームにおいて前記第２の制御送信を使用し、前記第２のサブフレームのセットからの少なくとも２つのサブフレームのために、前記アップリンク送信をスケジュールするためのプログラム・コードを備える、請求項４１に記載の装置。
［Ｃ４３］
前記ＵＬ  ＨＡＲＱタイミングは、周波数分割デュプレクス（ＦＤＤ）について、８ミリ秒の設定周期を有しているか、または、時分割デュプレクス（ＴＤＤ）について、１０ミリ秒の設定周期を有している、請求項３７に記載の装置。
［Ｃ４４］
前記ＤＬ  ＨＡＲＱタイミングは、周波数分割デュプレクス（ＦＤＤ）について、４０ミリ秒の設定周期を有しているか、または、時分割デュプレクス（ＴＤＤ）について、１０ミリ秒の設定周期を有している、請求項３７に記載の装置。
［Ｃ４５］
前記メモリはさらに、前記第２のサブフレームのセットに含まれない周期的なチャネル品質情報（ＣＱＩ）メッセージのためのアップリンク送信を禁止するためのプログラム・コードを備える、請求項３７に記載の装置。
［Ｃ４６］
前記メモリはさらに、前記第２のサブフレームのセットに含まれないスケジューリング要求（ＳＲ）メッセージのためのアップリンク送信を禁止するためのプログラム・コードを備える、請求項３７に記載の装置。
［Ｃ４７］
前記メモリはさらに、前記第２のサブフレームのセットに含まれないサウンディング基準信号（ＳＲＳ）のためのアップリンク送信を禁止するためのプログラム・コードを備える、請求項３７に記載の装置。
［Ｃ４８］
前記メモリはさらに、前記第２のサブフレームのセットにおけるアップリンク・データ送信に応答して、前記第１のサブフレームのセットにおけるＨ−ＡＲＱチャネル送信を禁止するためのプログラム・コードを備える、請求項３７に記載の装置。
［Ｃ４９］
前記メモリはさらに、アップリンクＨ−ＡＲＱが同期的であり、アップリンク（ＵＬ）許可が予め定義された期間内に受信されない場合、アップリンク・パケットの再送信を見合わせるためのプログラム・コードを備える、請求項４８に記載の装置。
［Ｃ５０］
コンピュータ・プログラム製品であって、
ｅノードＢ（ｅＮＢ）から中継ノードへのダウンリンク通信のための第１のサブフレームのセットを決定するためのコードと、
前記中継ノードから前記ｅＮＢへのアップリンク通信のための第２のサブフレームのセットを決定するためのコードと、
第１の最小遅延と前記第１のサブフレームのセットと前記第２のサブフレームのセットとに基づいて、第１の制御送信とハイブリッド自動反復要求（ＨＡＲＱ）アクノレッジ（ＡＣＫ）メッセージとの間のダウンリンク（ＤＬ）ＨＡＲＱタイミングを決定するためのコードと、
第２の最小遅延と前記第１のサブフレームのセットと前記第２のサブフレームのセットとに基づいて、第２の制御送信とアップリンク送信との間のアップリンク（ＵＬ）ＨＡＲＱタイミングを決定するためのコードと、
を備えるコンピュータ読取可能な媒体を備える無線通信システムにおける中継動作のためのコンピュータ・プログラム製品。
【図１】
0005529290.tif 000002
【図２】
0005529290.tif 000003
【図３】
0005529290.tif 000004
【図４】
0005529290.tif 000005
【図５】
0005529290.tif 000006
【図６】
0005529290.tif 000007
【図７】
0005529290.tif 000008
【図８】
0005529290.tif 000009
【図９】
0005529290.tif 000010
【図１０】
0005529290.tif 000011
【図１１】
0005529290.tif 000012